(57)【要約】  電話システムおよびその動作のいくつかの実施形態が本明細書で説明されている。いくつかの実施形態では、動作は、モバイルデバイスと基地局との間の通信リンクを確立することを含む。通信リンクは、モバイルデバイスと基地局との間の通信の交換を可能にする。動作は、基地局において、通信リンクを介して、モバイルネットワークを介して受信されたモバイルデバイスの電話呼の開始を検出することをさらに含むことができる。動作は、モバイルデバイスが、電話呼の間静止していることになると決定することをさらに含むことができる。動作は、モバイルデバイスが、電話呼の間静止していることになるという決定に応答して、電話呼の少なくとも一部分にわたってモバイルネットワーク内でのモバイルデバイスの位置追跡を終了させることをさらに含むことができる。
2015537435.tif 000002
【特許請求の範囲】
【請求項１】
モバイルデバイスと基地局との間の通信リンクを確立することと、ここにおいて前記通信リンクは、前記モバイルデバイスと前記基地局との間の通信の交換を可能にする、
前記基地局において、前記通信リンクを介して、モバイルネットワークを介して受信された前記モバイルデバイスの電話呼の開始を検出することと、
前記電話呼の開始を検出したことに応答して、前記モバイルデバイスが静止していると決定することと、
前記モバイルデバイスが静止したままである間、前記電話呼の少なくとも一部分にわたって前記モバイルネットワーク内での前記モバイルデバイスの位置追跡を終了させることと、
を備える、方法。
【請求項２】
前記電話呼の開始を検出することは、前記基地局において、前記通信リンクを介して、前記モバイルデバイスの前記電話呼に関連付けられた通信信号を受信することを備え、前記方法は、
前記基地局の電話ハンドセットを用いた使用のための通信フォーマットに前記通信信号を変換することと、
前記通信信号を変換した後に前記電話ハンドセットに前記通信信号を送信することと、
をさらに備える、請求項１に記載の方法。
【請求項３】
前記モバイルネットワーク内での前記モバイルデバイスの位置追跡を終了させることは、前記モバイルデバイスが、前記電話呼の前記少なくとも一部分にわたって静止したままになることを示す通信信号を送信することを備える、請求項１に記載の方法。
【請求項４】
前記通信信号を送信することは、前記モバイルデバイスに関連付けられたモバイルネットワークオペレータのために前記モバイルデバイスの位置追跡を実行する電気通信制御システムに関連付けられたアドレスに前記通信信号を送信することを備える、請求項３に記載の方法。
【請求項５】
前記モバイルデバイスが前記電話呼の前記少なくとも一部分にわたって静止したままになると決定することは、前記モバイルデバイスが、前記基地局に対して前記モバイルデバイスを物理的に拘束する物理的ドッキングステーション内に位置していることを検出することと、前記モバイルデバイスが前記基地局に留め付けられていることを検出することとのうちの１つまたは複数を備える、請求項１に記載の方法。
【請求項６】
前記通信リンクを確立することは、前記モバイルデバイスの第１のＳＩＭカードのユニークな識別子を前記基地局の第２のＳＩＭカードに関連付けることを備える、請求項１に記載の方法。
【請求項７】
１つまたは複数のプロセッサによって実行されたときに前記１つまたは複数のプロセッサに動作を行わせる命令を記憶した１つまたは複数の機械可読記憶媒体であって、前記動作は、
モバイルデバイスと基地局との間の通信リンクを確立することと、ここにおいて前記通信リンクは、前記モバイルデバイスと前記基地局との間のデータ通信を可能にする、
モバイルネットワークを介した前記モバイルデバイスによる電話呼の受信を示す、前記モバイルデバイスからの通信信号を検出することと、
前記通信信号を受信したことに応答して、前記モバイルデバイスが前記基地局に物理的に結合されていると決定することと、ここにおいて前記基地局は、前記モバイルデバイスを、前記モバイルデバイスが前記基地局に物理的に結合される間、前記電話呼の少なくとも一部分にわたって静止したままにさせるように構成される、
前記モバイルネットワークを介して、前記モバイルデバイスが前記基地局に物理的に結合されたままである間、前記電話呼の前記少なくとも一部分にわたって位置追跡を終了させるための追加の通信信号を送信することと、
を備える、１つまたは複数の機械可読記憶媒体。
【請求項８】
前記追加の通信信号を送信するための動作は、前記モバイルデバイスに関連付けられたモバイルネットワークサービスプロバイダのために前記モバイルデバイスの位置追跡を実行する電気通信制御システムに関連付けられたアドレスに前記追加の通信信号を送信することを備える動作を含む、請求項７に記載の１つまたは複数の機械可読記憶媒体。
【請求項９】
前記基地局は、前記基地局に対して前記モバイルデバイスを物理的に拘束する物理的ドッキングステーション、および前記基地局に前記モバイルデバイスを取り付けるファスナのうちの１つまたは複数を介して、前記基地局に前記モバイルデバイスを物理的に結合する、請求項７に記載の１つまたは複数の機械可読記憶媒体。
【請求項１０】
前記モバイルデバイスと前記基地局との間の前記通信リンクを確立するための前記動作は、前記モバイルデバイスの第１のＳＩＭカードのユニークな識別子を前記基地局の第２のＳＩＭカードに関連付けることを備える動作を含む、請求項７に記載の１つまたは複数の機械可読記憶媒体。
【請求項１１】
１つまたは複数のプロセッサと、
１つまたは複数の命令を記憶するように構成された１つまたは複数のメモリユニットと、
を備えるシステムであって、前記１つまたは複数の命令は、前記１つまたは複数のプロセッサを介して処理されたときに、前記システムに、
モバイルデバイスと基地局との間の通信リンクを確立することと、ここにおいて前記通信リンクは、前記モバイルデバイスと前記基地局との間のデータ通信を可能にする、
前記モバイルデバイスに割り当てられた電話呼を受信することと、ここにおいて前記電話呼は、モバイルネットワークを介して送信される、
前記電話呼の受信に応答して、前記モバイルデバイスが前記基地局に物理的に結合されていると決定することと、ここにおいて前記基地局は、前記モバイルデバイスを、前記モバイルデバイスが前記基地局に物理的に結合されている間、前記電話呼の少なくとも一部分にわたって静止したままにさせるように構成される、
前記モバイルネットワークを介して、前記モバイルデバイスが前記基地局に物理的に結合されたままである間、前記電話呼の前記少なくとも一部分にわたって前記モバイルデバイスの位置追跡を終了させるための通信信号を送信することと、
を実行させる、システム。
【請求項１２】
前記システムに前記通信信号を送信させる前記命令は、前記システムに、電気通信制御システムに関連付けられたアドレスに前記通信信号を送信させる命令を備え、ここにおいて前記電気通信制御システムは、前記モバイルデバイスのモバイル電話サービスプロバイダに関連付けられる、請求項１１に記載のシステム。
【請求項１３】
前記基地局は、前記基地局に対して前記モバイルデバイスを物理的に拘束する物理的ドッキングステーション、および前記基地局に前記モバイルデバイスを取り付けるファスナのうちの１つまたは複数を介して、前記基地局に前記モバイルデバイスを物理的に結合する、請求項１１に記載のシステム。
【請求項１４】
前記システムに前記通信リンクを確立させる前記命令は、前記システムに、前記モバイルデバイスの第１のＳＩＭカードのユニークな識別子を前記基地局の第２のＳＩＭカードに関連付けさせる命令を備える、請求項１１に記載のシステム。
【請求項１５】
基地局にリンクされたデバイスから第１の信号を検出することと、ここにおいて前記第１の信号は、インターネットデータを求める要求を含み、前記インターネットデータは第１のフォーマットで前記第１の信号を介して通信される、
前記基地局にリンクされたモバイルデバイスに、前記インターネットデータを求める要求を備えた第２の信号を通信させることと、ここにおいて前記第２の信号は、前記第１のフォーマットとは異なる第２のフォーマットを通じて通信され、前記第２のフォーマットは、モバイルネットワーク通信のためのものである、
前記基地局にリンクされた前記モバイルデバイスを介して、前記インターネットデータを求める要求に対する応答を備えた第３の信号を受信することと、前記第３の信号は、前記インターネットデータを含み、前記第３の信号は前記第２のフォーマットを介して通信される、
前記基地局から前記モバイルデバイスに、前記インターネットデータを含む第４の信号を送信することと、ここにおい前記第４の信号は、前記第１のフォーマットを使用して通信される、
を備える、方法。
【請求項１６】
前記第１の信号を検出したことに応答して、前記第１の信号を前記第１のフォーマットから前記第２のフォーマットの前記第２の信号に変換することと、
前記第３の信号を受信したことに応答して、前記第３の信号を前記第２のフォーマットから前記第１のフォーマットの前記第４の信号に変換することと、
をさらに備える、請求項１５に記載の方法。
【請求項１７】
前記要求は、前記基地局のコードレスハンドセットから生じ、ここにおいてコードレスハンドセットは、ブラウザアプリケーションを介して前記インターネットデータを提示するように構成され、前記第１のフォーマットは、コードレス電話通信のために使用される通信フォーマットを備える、請求項１５に記載の方法。
【請求項１８】
前記要求は、ワイヤレスデバイスから生じ、ここにおいてワイヤレスデバイスは、ブラウザアプリケーションを介して前記インターネットデータを提示するように構成され、前記第１のフォーマットは、ワイヤレスローカルエリアネットワーク通信のために使用される通信フォーマットを備える、請求項１５に記載の方法。
【請求項１９】
前記モバイルデバイスは、前記第２のフォーマットを使用してモバイルネットワークを介してインターネットにアクセスすることを認可される、請求項１５に記載の方法。
【請求項２０】
前記第２のフォーマットは、パーソナルアクセスシステム（ＰＡＳ）フォーマット、デジタルエンハンスドコードレステレコミュニケーション（ＤＥＣＴ）フォーマット、およびコードレス電話ジェネレーションフォーマットのうちの１つまたは複数を備える、請求項１５に記載の方法。
【請求項２１】
システムであって、
モバイルネットワークを介して、モバイルネットワーク通信のための第１の通信フォーマットを通じてインターネットデータを受信することを行うように構成されたモバイルデバイスと、
前記モバイルデバイスとの第１の通信リンクを確立することと、
追加のデバイスとの第２の通信リンクを確立することと、
前記追加のデバイスから前記第２の通信リンクを介して、前記インターネットデータを求める要求を検出することと、ここにおいて前記インターネットデータを求める要求は、前記第１の通信フォーマットとは異なる第２の通信フォーマットを通じて通信される、
前記インターネットデータを求める要求の検出に応答して、前記第１の通信リンクを介して、前記第１の通信フォーマットを通じて前記モバイルデバイスからの前記インターネットデータを取得することと、
前記第２の通信リンクを介して、前記第２の通信フォーマットを使用して前記追加のデバイスに前記インターネットデータを提供することと、
を行うように構成された基地局と、
を備えるシステム。
【請求項２２】
前記追加のデバイスは、前記基地局のコードレスハンドセットであり、ここにおいてコードレスハンドセットは、ブラウザアプリケーションを介して前記インターネットデータを提示するように構成され、前記第１の通信フォーマットは、コードレス電話通信のために使用される通信フォーマットを備える、請求項２１に記載のシステム。
【請求項２３】
前記追加のデバイスは、ワイヤレスデバイスであり、ここにおいてワイヤレスデバイスは、ブラウザアプリケーションを介して前記インターネットデータを提示するように構成され、前記第１の通信フォーマットは、ワイヤレスローカルエリアネットワーク通信のために使用される通信フォーマットを備える、請求項２１に記載のシステム。
【請求項２４】
前記第１の通信フォーマットを通じて前記インターネットデータを受信するように構成された追加のモバイルデバイスをさらに備え、
前記基地局は、
前記追加のモバイルデバイスとの第３の通信リンクを確立することと、
前記インターネットデータを求める要求の検出に応答して、前記３の通信リンクを介して、前記第１の通信フォーマットを通じて前記追加のモバイルデバイスから前記インターネットデータを取得することと、
前記モバイルデバイスから前記追加のデバイスに前記インターネットデータを提供することと同時に、前記第２の通信リンクを介して、前記第２の通信フォーマットを使用して、前記追加のモバイルデバイスから前記追加のデバイスに追加のインターネットデータを提供することと、
を行うようにさらに構成される、請求項２１に記載のシステム。
【請求項２５】
前記追加のモバイルデバイスは、前記モバイルデバイスによって使用される前記モバイルネットワークとは異なる追加のモバイルネットワークを介して前記インターネットデータにアクセスするように構成される、請求項２４に記載のシステム。
【請求項２６】
１つまたは複数のプロセッサと、
１つまたは複数の命令を記憶するように構成された１つまたは複数のメモリユニットと、
を備える装置であって、前記１つまたは複数の命令は、前記１つまたは複数のプロセッサを介して処理されたときに、前記装置に、
第１の通信リンクを介して基地局とリンクされた第１のモバイルデバイスからの第１のデータにアクセスすることと、
第２の通信リンクを介して前記基地局とリンクされた第２のモバイルデバイスからの第２のデータにアクセスすることと、
第３の通信リンクを介して前記基地局とリンクされた追加のデバイスに、前記第１のデータと第２のデータを同時に提供することと、
を実行させる、装置。
【請求項２７】
前記１つまたは複数のプロセッサを介して処理されたときに、前記命令はさらに、前記装置に、
追加のデバイスのアプリケーションを介した提示のために前記第１のデータおよび第２のデータをアグリゲートさせる、
請求項２６に記載の装置。
【請求項２８】
前記第１のデータおよび第２のデータは、コンタクトデータ、スケジューリングデータ、アプリケーションデータ、電子メールデータ、カレンダデータ、およびインターネットデータのうちの１つまたは複数を備える、請求項２６に記載の装置。
【発明の詳細な説明】
【関連出願】
【０００１】
[0001]本願は、２０１２年１０月１５日付けで出願された米国特許出願番号第１３／６５１，９０２号に基づく優先権を主張する。
【背景技術】
【０００２】
[0002]本発明の主題の実施形態は、概して、通信システムおよびネットワークの分野に関し、より具体的には、モバイル通信に関する。
【０００３】
[0003]スマートフォン、携帯情報端末（ＰＤＡ）、タブレットコンピュータ等の、パーソナルモバイルデバイス（「モバイルデバイス」）は、かつてないほどより人気に、かつより普及するようになっている。しかしながらモバイルデバイスは、いくつかの欠点を有する。例えば、モバイルデバイスはバッテリで動く。モバイルデバイスがバッテリ電力を使い果たした場合、または電力が低い場合、ユーザは、デバイスのプラグを差し込まなければならず、それにより、充電する間モバイルデバイスの移動性を制限する。さらに、いくつかのモバイルデバイスは、電話通信が可能である。これらのモバイルデバイスは、時折、通話の途切れを起こし（drop telephone call）、またはネットワークカバレージの縮小を経験する。さらに、ユーザが大きく動き回る必要がない設定（例えば、ユーザが家にいるとき）、またはユーザが地上線電話（landline telephones）へのアクセスを有する設定等の、ローカライズされた設定では、モバイルデバイスの使用は、さほど有利でなくなることがある。したがって、例えば、ローカライズされた設定におけるモバイルデバイスに関する使用を向上させる必要性が存在する。
【発明の概要】
【０００４】
[0004]電話システムおよびその動作の様々な実施形態が本明細書で説明されている。いくつかの実施形態では、方法は、モバイルデバイスと基地局との間の通信リンクを確立することであって、該通信リンクは、モバイルデバイスと基地局との間の通信の交換を可能にする、通信リンクを確立することと、基地局において、通信リンクを介して、モバイルネットワークを介して受信されたモバイルデバイスの電話呼の開始を検出することと、電話呼の開始を検出したことに応答して、モバイルデバイスが静止している（stationary）と決定することと、モバイルデバイスが静止したままである間、電話呼の少なくとも一部分にわたってモバイルネットワーク内でのモバイルデバイスの位置追跡を終了させることと、を備える。
【０００５】
[0005]いくつかの実施形態では、電話呼の開始を検出することは、基地局において、通信リンクを介して、モバイルデバイスの電話呼に関連付けられた通信信号を受信することを備え、さらに、基地局の電話ハンドセットを用いた使用のための通信フォーマットに通信信号を変換することと、通信信号を変換した後に電話ハンドセットに通信信号を送信することと、を備える。
【０００６】
[0006]いくつかの実施形態では、モバイルネットワーク内でのモバイルデバイスの位置追跡を終了させることは、モバイルデバイスが、電話呼の少なくとも一部分の間静止したままになることを示す通信信号を送信することを備える。
【０００７】
[0007]いくつかの実施形態では、通信信号を送信することは、モバイルデバイスに関連付けられたモバイルネットワークオペレータのためにモバイルデバイスの位置追跡を実行する電気通信制御システムに関連付けられたアドレスに通信信号を送信することを備える。
【０００８】
[0008]いくつかの実施形態では、モバイルデバイスが電話呼の少なくとも一部分の間静止したままになると決定することは、モバイルデバイスが、基地局に対してモバイルデバイスを物理的に拘束する物理的ドッキングステーション（physical docking station）内に位置していることを検出することと、モバイルデバイスが基地局に留め付けられている（fastened）ことを検出することと、のうちの１つまたは複数を備える。
【０００９】
[0009]いくつかの実施形態では、通信リンクを確立することは、モバイルデバイスの第１のＳＩＭカードのユニークな識別子を基地局の第２のＳＩＭカードに関連付けることを備える。
【００１０】
[0010]いくつかの実施形態では、１つまたは複数のプロセッサによって実行されたときに、１つまたは複数のプロセッサに動作を行わせる命令を記憶した１つまたは複数の機械可読記憶媒体は、モバイルデバイスと基地局との間の通信リンクを確立することであって、該通信リンクはモバイルデバイスと基地局との間のデータ通信を可能にする、通信リンクを確立することと、モバイルネットワークを介したモバイルデバイスによる電話呼の受信を示す、モバイルデバイスからの通信信号を検出することと、通信信号を受信したことに応答して、モバイルデバイスが基地局に物理的に結合されると決定することであって、基地局は、モバイルデバイスが基地局に物理的に結合されたままである間、電話呼の少なくとも一部分の間モバイルデバイスを静止したままにさせるように構成される、決定することと、モバイルネットワークを介して、モバイルデバイスが基地局に物理的に結合されたままである間、電話呼の少なくとも一部分にわたって位置追跡を終了させるための追加の通信信号を送信することと、を備える。
【００１１】
[0011]いくつかの実施形態では、追加の通信信号を送信する動作は、モバイルデバイスに関連付けられたモバイルネットワークサービスプロバイダのためにモバイルデバイスの位置追跡を実行する電気通信制御システムに関連付けられたアドレスに追加の通信信号を送信する動作を含む。
【００１２】
[0012]いくつかの実施形態では、基地局は、基地局に対してモバイルデバイスを物理的に拘束する物理的ドッキングステーション、および基地局にモバイルデバイスを取り付けるファスナのうちの１つまたは複数を介して、基地局にモバイルデバイスを物理的に結合する。
【００１３】
[0013]いくつかの実施形態では、モバイルデバイスと基地局との間の通信リンクを確立するための動作は、モバイルデバイスの第１のＳＩＭカードのユニークな識別子を基地局の第２のＳＩＭカードに関連付けることの動作を含む。
【００１４】
[0014]いくつかの実施形態では、システムは、１つまたは複数のプロセッサと、１つまたは複数の命令を記憶するように構成された１つまたは複数のメモリユニットとを備え、１つまたは複数の命令は、１つまたは複数のプロセッサを介して処理されたときに、システムに、モバイルデバイスと基地局との間の通信リンクを確立することであって、該通信リンクはモバイルデバイスと基地局との間のデータ通信を可能にする、通信リンクを確立することと、モバイルデバイスに割り当てられた電話呼を受信することであって、該電話呼はモバイルネットワークを介して送信される、受信することと、電話呼の受信に応答して、モバイルデバイスが基地局と物理的に結合されていると決定することであって、基地局は、モバイルデバイスが基地局に物理的に結合されている間、電話呼の少なくとも一部分にわたってモバイルデバイスを静止したままにさせるように構成される、決定することと、モバイルネットワークを介して、モバイルデバイスが基地局と物理的に結合されたままである間、電話呼の少なくとも一部分にわたってモバイルデバイスの位置追跡を終了させるための通信信号を送信することとを、行わせる。
【００１５】
[0015]いくつかの実施形態では、システムに通信信号を送信させる命令は、システムに、電気通信制御システムに関連付けられたアドレスに通信信号を送信させる命令を備え、ここにおいて該電気通信制御システムは、モバイルデバイスのモバイル電話サービスプロバイダに関連付けられる。
【００１６】
[0016]いくつかの実施形態では、基地局は、基地局に対してモバイルデバイスを物理的に拘束する物理的ドッキングステーション、および基地局にモバイルデバイスを取り付けるファスナのうちの１つまたは複数を介して、基地局にモバイルデバイスを物理的に結合する。
【００１７】
[0017]いくつかの実施形態では、システムに通信リンクを確立させる命令は、システムに、モバイルデバイスの第１のＳＩＭカードのユニークな識別子を基地局の第２のＳＩＭカードに関連付けさせる命令を備える。
【００１８】
[0018]いくつかの実施形態では、方法は、基地局にリンクされたデバイスから第１の信号を検出することであって、該第１の信号は、インターネットデータを求める要求を含み、該インターネットデータは、第１のフォーマットで第１の信号を介して通信される、検出することと、基地局とリンクされたモバイルデバイスに、インターネットデータを求める要求を備えた第２の信号を通信させることであって、該第２の信号は、第１のフォーマットとは異なる第２のフォーマットを介して通信され、該第２のフォーマットは、モバイルネットワーク通信のためのものである、通信させることと、基地局とリンクされたモバイルデバイスを介して、インターネットデータを求める要求への応答を備えた第３の信号を受信することであって、該第３の信号は、インターネットデータを含み、第３の信号は、第２のフォーマットを介して通信される、受信することと、基地局からモバイルデバイスに、インターネットデータを含む第４の信号を送信することであって、該第４の信号は、第１のフォーマットを使用して通信される、送信することと、を備える。
【００１９】
[0019]いくつかの実施形態では、方法は、第１の信号を検出したことに応答して、第１の信号を第１のフォーマットから、第２のフォーマットにおける第２の信号に変換することと、第３の信号を受信したことに応答して、第３の信号を第２のフォーマットから、第１のフォーマットにおける第４の信号に変換することと、をさらに備える。
【００２０】
[0020]いくつかの実施形態では、要求は、基地局のコードレスハンドセットから生じ、ここにおいてコードレスハンドセットは、ブラウザアプリケーションを介してインターネットデータを提示するように構成され、第１のフォーマットは、コードレス電話通信のために使用される通信フォーマットを備える。
【００２１】
[0021]いくつかの実施形態では、要求は、ワイヤレスデバイスから生じ、ここにおいてワイヤレスデバイスは、ブラウザアプリケーションを介してインターネットデータを提示するように構成され、第１のフォーマットは、ワイヤレスローカルエリアネットワーク通信のために使用される通信フォーマットを備える。
【００２２】
[0022]いくつかの実施形態では、モバイルデバイスは、第２のフォーマットを使用してモバイルネットワークを介してインターネットにアクセスすることを認可される。
【００２３】
[0023]いくつかの実施形態では、第２のフォーマットは、パーソナルアクセスシステム（ＰＡＳ）フォーマット、デジタルエンハンスドコードレス電気通信（ＤＥＣＴ：digital enhanced cordless telecommunications）フォーマット、およびコードレス電話ジェネレーション（cordless telephone generation）フォーマットのうちの１つまたは複数を備える。
【００２４】
[0024]いくつかの実施形態では、システムは、モバイルネットワークを介するモバイルネットワーク通信のための第１の通信フォーマットを介してインターネットデータを受信するように構成されたモバイルデバイスと、モバイルデバイスとの第１の通信リンクを確立することと、追加のデバイスとの第２の通信リンクを確立することと、追加のデバイスから第２の通信リンクを介して、インターネットデータを求める要求を検出することであって、インターネットデータを求める要求は、第１の通信フォーマットとは異なる第２の通信フォーマットを介して通信される、検出することと、インターネットデータを求める要求の検出に応答して、第１の通信リンクを介して、第１の通信フォーマットを通じてモバイルデバイスからインターネットデータを取得することと、第２の通信リンクを介して、第２の通信フォーマットを使用して追加のデバイスにインターネットデータを提供することと、を行うように構成された基地局と、を備える。
【００２５】
[0025]いくつかの実施形態では、追加のデバイスは、基地局のコードレスハンドセットであり、ここにおいてコードレスハンドセットは、ブラウザアプリケーションを介してインターネットデータを提示するように構成され、第１の通信フォーマットは、コードレス電話通信のために使用される通信フォーマットを備える。
【００２６】
[0026]いくつかの実施形態では、追加のデバイスは、ワイヤレスデバイスであり、ここにおいてワイヤレスデバイスは、ブラウザアプリケーションを介してインターネットデータを提示するように構成され、第１の通信フォーマットは、ワイヤレスローカルエリアネットワーク通信のために使用される通信フォーマットを備える。
【００２７】
[0027]いくつかの実施形態では、システムは、第１の通信フォーマットを通じてインターネットデータを受信するように構成された追加のモバイルデバイスをさらに備え、基地局は、追加のモバイルデバイスとの第３の通信リンクを確立することと、インターネットデータを求める要求の検出に応答して、第３の通信リンクを介して、第１の通信フォーマットを通じて追加のモバイルデバイスからインターネットデータを取得することと、モバイルデバイスから追加のデバイスにインターネットデータを提供するのと同時に、第２の通信リンクを介して、第２の通信フォーマットを使用して、追加のモバイルデバイスから追加のデバイスに追加のインターネットデータを提供することと、を行うようにさらに構成される。
【００２８】
[0028]いくつかの実施形態では、追加のモバイルデバイスは、モバイルデバイスによって使用されるモバイルネットワークとは異なる追加のモバイルネットワークを介してインターネットデータにアクセスするように構成される。
【００２９】
[0029]いくつかの実施形態では、装置は、１つまたは複数のプロセッサと、１つまたは複数の命令を記憶するように構成された１つまたは複数のメモリユニットとを備え、１つまたは複数の命令は、１つまたは複数のプロセッサを介して処理されたときに、装置に、第１の通信リンクを介して基地局とリンクされた第１のモバイルデバイスからの第１のデータにアクセスすることと、第２の通信リンクを介して基地局とリンクされた第２のモバイルデバイスからの第２のデータにアクセスすることと、第３の通信リンクを介して基地局とリンクされた追加のデバイスに第１のデータと第２のデータを同時に提供することと、を行わせる。
【００３０】
[0030]いくつかの実施形態では、１つまたは複数のプロセッサを介して処理されたときに、命令は、装置に、追加のデバイスのアプリケーションを介した提示のために、第１のデータおよび第２のデータをアグリゲートすることをさらに行わせる。
【００３１】
[0031]いくつかの実施形態では、第１のデータおよび第２のデータは、コンタクトデータ、スケジューリングデータ、アプリケーションデータ、電子メールデータ、カレンダデータ、およびインターネットデータのうちの１つまたは複数を備える。
【００３２】
[0032]添付の図面を参照することによって、本実施形態はより良く理解され、多くの目的、特徴、および利点が、当業者には明らかにされうる。
【図面の簡単な説明】
【００３３】
【図１】モバイルデバイスと基地局との間の通信を制御することの一例を示す図である。
【図２】いくつかの実施形態による、ドッキングされたモバイルデバイスに関する電話呼中の位置追跡の使用を制御することを示す例示的なフロー図である。
【図３】いくつかの実施形態による、ドッキングされたモバイルデバイスに関する電話呼中の位置追跡の使用を制御することを示す例示的なフロー図である。
【図４Ａ】いくつかの実施形態による、ドッキングされたモバイルデバイスに関する電話呼中の位置追跡の使用を制御することを示す例示的な図である。
【図４Ｂ】いくつかの実施形態による、ドッキングされたモバイルデバイスに関する電話呼中の位置追跡の使用を制御することを示す例示的な図である。
【図５】１つまたは複数のリンクされたモバイルデバイスを使用して、基地局を通じてインターネットアクセスを提供することを示す例示的なフロー図である。
【図６】１つまたは複数のリンクされたモバイルデバイスを使用して、基地局を通じてインターネットアクセスを提供することを示す例示的な図である。
【図７】基地局を介してモバイルデバイスからのデータを使用することを示す例示的なフロー図である。
【図８】基地局を介したモバイルデバイスからのデータを使用することを示す例示的な図である。
【図９】例示的な電子デバイスを示す図である。
【詳細な説明】
【００３４】
[0042]以下に続く説明は、本発明の主題の技法を実現する、典型的なシステム、方法、技法、命令シーケンス、およびコンピュータプログラム製品を含む。しかしながら、ここに記載される実施形態がこれらの特定の詳細なしで実施されうることが理解される。例えば、例は電話通信に言及しているが、他の例は、ビデオカンファレンス、またはモバイルデバイスを介して行われる人対人の通信の他の形式を含むことができる。他の事例では、よく知られている命令インスタンス、プロトコル、構造、および技法は、説明を不明瞭にしないように、詳細には図示されていない。
【００３５】
[0043]前に説明されたように、ユーザが家にいるときなど、モバイルデバイスに関する使用を改善する必要性が存在する。いくつかの実施形態は、家においてのような、ローカライズされた設定で使用する基地局を説明している。いくつかの実施形態は、１つまたは複数のモバイルデバイスと基地局との間に１つまたは複数の通信リンクを確立することと、１つまたは複数の通信リンクを介して、モバイルデバイスと基地局との間で、例えば電話呼、インターネットデータ、モバイルアプリケーション等の、情報を転送することとを含む。いくつかの実施形態では、基地局は、ハンドセット、または基地局とリンクされた他のワイヤレスデバイスに情報をブロードキャストする。
【００３６】
[0044]図１は、モバイルデバイスと基地局との間の通信を制御することの例示的な図である。図１では、電話通信を行うためのもの（例えば、携帯電話、スマートフォン等）のような、通信データを交換することが可能であるモバイルデバイス（例えば、モバイルデバイス１１０および／または１１２）は、通信リンクを介して基地局１０２（例えば、コードレス電話基地局またはコード付き（corded）電話基地局）にリンクされる。通信リンクは、モバイルデバイス１１０または１１２と基地局１０２との間の通信の交換を可能にする。基地局１０２は、１つまたは複数のコードレス電話ハンドセット（「（１つまたは複数の）ハンドセット」）１０４を含む。リンクされている間、モバイルデバイス１１０または１１２のうちのいずれか１つは、ワイヤレスまたはワイヤード（wired）通信リンクを介して基地局１０２と通信する。モバイルデバイス１１０または１１２のいずれかが基地局１０２とリンクされた後、電話信号（例えば、モバイルネットワークタワー１２０から受信されたＲＦ信号）がモバイルデバイスのうちの１つに（例えば、モバイルデバイス１１０に）送られるとき、電話呼は、確立された通信リンクを介して、モバイルデバイス（例えば、モバイルデバイス１１０）から基地局１０２に自動的に転送される。基地局１０２は電話呼を受信し、（１つまたは複数の）ハンドセット１０４に、入ってくる（incoming）電話呼を示させる。ユーザが、電話呼の予定されていた受信側であったモバイルデバイス１１０を使用する代わりに、電話呼に対して（１つまたは複数の）ハンドセット１０４のうちの少なくとも１つを使用することができるように、電話呼は、モバイルデバイス１１０から基地局１０２に転送される。
【００３７】
[0045]電話呼は、様々な方法で、基地局１０２に転送されうる。例えば、いくつかの実施形態では、モバイルデバイス１１０が電話呼を受信するときには、基地局１０２は、基地局１０２に接続される地上線のような、別の電話線に、電話呼を転送することができる。別の例では、基地局１０２は、モバイルデバイス１１０上のＳＩＭカードにマッチングされた（matched）基地局１０２内の１つまたは複数のＳＩＭカードを利用する。モバイルデバイス１１０および基地局１０２がリンクされるときには、（例えば、モバイルデバイス１１０上のＳＩＭカードの識別を通じて）モバイルデバイス１１０に送られた電話呼はまた、（例えば、基地局１０２上のＳＩＭカードのマッチング識別を介して）基地局１０２によって受信される。また別の例では、モバイルデバイス１１０は、Ｂｌｕｅｔｏｏｔｈ（登録商標）または他のワイヤレス技術を介して基地局１０２に電話呼を転送し、それにより、モバイルデバイス１１０が基地局１０２から物理的に離れている（つまり、基地局１０２と物理的にドッキングされていない）ことを可能にする。しかしながら、いくつかの実施形態では、モバイルデバイス１１０は、基地局１０２と物理的にドッキングされており（例えば、基地局１０２にプラグを差し込まれており）、それにより直接の物理的接続を通じて、電気通信データ、および他のタイプのデータを通信することができる。
【００３８】
[0046]いくつかの実施形態では、基地局１０２は、モバイルデバイス１１０が電話呼中静止していると決定する。例えば、基地局１０２は、モバイルデバイス１１０が、基地局１０２に物理的に結合されている、基地局１０２と繋がれている（tethered）、または、他の何らかの方法で基地局１０２に対して静止位置に保持されていると決定することができる。いくつかの実施形態では、モバイルデバイス１１０が電話呼中静止しているときには、基地局１０２および／またはモバイルデバイス１１０は、モバイルデバイス１１０が位置を移動していないことを示すためにモバイル電話サービスプロバイダと通信する。典型的なモバイル電話呼の間、モバイルデバイス１１０とモバイル電話サービスプロバイダとの間の通信の一部は、電話呼の間、モバイルネットワークタワー１２０に関するモバイルデバイス１１０の位置更新を特定する連続的なデータ通信を含む。いくつかの実装形態では、これらの位置更新は、電話信号の方向の焦点を合わせるために使用されうる。しかしながら、基地局１０２および／またはモバイルデバイス１１０は、モバイル電話サービスプロバイダに、モバイルデバイス１１０が移動中でなく、そして電話呼の間に移動しないことを示すときには、モバイルデバイス１１０およびモバイル電話サービスプロバイダは、位置更新を交換する必要はない。結果として、電話呼の間の位置更新を除外することによって、ネットワークデータトラフィックが低減される。モバイルデバイス１１０が基地局１０２に対して非静止状態になる（例えば、基地局１０２から物理的に分断され、および／または基地局に１０２に対して移動し始める）ときには、モバイルデバイス１１０および／または基地局１０２は、モバイルデバイス１１０に関する位置更新の通信を再開するために、モバイル電話サービスプロバイダと通信する。静止しているモバイルデバイスに関する電話呼の間の位置追跡の使用を制御することの、いくらかのさらなる説明が、図２、図３および図４Ａ〜４Ｂに含まれる。
【００３９】
[0047]いくつかの実施形態では、基地局１０２はまた、モバイルデバイス１１０および１１２のいずれか、またはすべてからのインターネットデータを使用して（つまり、インターネットアクセスポイントとしてモバイルデバイス１１０および／または１１２を使用して）、ワイヤレスホットスポットとしてインターネットアクセスを提供することができる。基地局１０２は、基地局１０２によって提供されるインターネットデータの帯域幅を増加させるために、モバイルデバイス１１０および１１２からのデータのマルチプルなデータストリームを利用することができる。１つまたは複数のリンクされたモバイルデバイスを使用して基地局を通じてインターネットアクセスを提供することに関するいくらかのさらなる説明が図５および図６に含まれる。
【００４０】
[0048]いくつかの実施形態では、基地局１０２は、モバイルデバイス１１０および１１２からの、例えば構成データ、アプリケーションデータ、コンテンツ等の情報を使用することができる。例えば、基地局１０２は、モバイルデバイス１１０からの着信音ファイル（ringtone sound file）を使用することができる。基地局１０２は、ハンドセット１０４および１０５のための初期のベル音量（ring volume）または会話音量を、モバイルデバイス１１０および１１２内で設定および記憶された音量レベルに設定することができる。いくつかの例では、基地局１０２は、モバイルデバイス１１０および１１２からのコンタクトデータ、スケジューリングデータ、アプリケーションデータ、または他の情報にアクセスし、それらを利用することができる。例えば、基地局１０２は、基地局１０２のユーザインターフェース１０６を介して、および／またはハンドセット１０４および１０５のユーザインターフェース（例えば、インターフェース１０８）を介して、モバイルデバイス１１０および１１２からの情報のいずれかを提示することができる。例えば、ユーザがハンドセット１０４を使用して電話呼を行うときには、基地局１０２は、ユーザインターフェース１０６またはユーザインターフェース１０８を介して、モバイルデバイス１１０および１１２のいずれかから利用可能ないずれか、または全ての電話コンタクトデータを提示することができる。基地局を介したモバイルデバイスからのデータを使用することに関するいくらかのさらなる説明が図７および８に含まれる。
【００４１】
[0049]このセクションは、いくつかの実施形態に関連する動作を説明している。以下の説明では、いくつかのフロー図が、本明細書で提示されているブロック図を参照して説明されている。しかしながら、いくつかの実施形態では、動作は、ブロック図で説明されていない論理によって行われうる。
【００４２】
[0050]ある特定の実施形態では、動作が、機械可読記憶媒体上に存在する命令（例えば、ソフトウェア）を実行することによって行われうる一方で、他の実施形態では、動作は、ハードウェアおよび／または他の論理（例えば、ファームウェア）によって行われうる。さらにいくつかの実施形態は、いずれかのフロー図で図示されているすべての動作よりも多い、または少ない動作を行うことができる。
【００４３】
[0051]図２および３は、いくつかの実施形態による、ドッキングされたモバイルデバイスに関する電話呼中の位置追跡の使用を制御することを示す例示的なフロー図である。フロー図（「フロー」）２００は、第１のシステム（例えば、コードレス電話システム、またはワイヤレス電話システム）によって行われる動作を例示している。フロー図（「フロー」）３００は、第２のシステム（例えば、電気通信制御システム、または「テレコムシステム」）によって行われる動作を例示している。いくつかの実施形態では、フロー２００および３００は、重複する方式で、同時に行われる。しかしながら、他の実施形態では、フロー２００および３００は、重複しない方法で、別個の時間に独立して行われうる。図４Ａおよび４Ｂは、いくつかの実施形態による、図２および３のフローを示す概念図である。この説明は、はじめに図２の簡潔な説明を提示し、次いで図３の簡潔な説明を提示する。この説明は、フロー２００と３００の同時に起こる組み合わせの例として図４Ａおよび４Ｂを提示する。
【００４４】
[0052]図２では、フロー２００は、電話システムが電話信号を受信し、電話信号に割り当てられたモバイルデバイスが基地局に対して静止していることを検出する、処理ブロック２０２で始まる。例えば、電話システムは、モバイルデバイスが基地局に物理的に結合される、または留め付けられることを検出することができる。いくつかの実施形態では、電話システムは、コードレス電話基地局と通信するように構成されたコードレスハンドセットを含む。しかしながら、他の実施形態では、フロー２００は、コード付きのハンドセット、またはコード付きのハンドセットとコードレスハンドセットの組み合わせ、を備えたコード付きの電話システムを介して行われうる。
【００４５】
[0053]フロー２００は、モバイルデバイスが静止していることを検出したことに応答して電話システムが信号を送信する、処理ブロック２０４に続く。信号は、モバイルデバイスの位置を示す。信号はまた、モバイルデバイスが、電話呼の間、その位置に静止したままになることを示す。
【００４６】
[0054]フロー２００は、電話システムが、信号を送信したことに応答して、電話呼の間のモバイルデバイスに関する位置データの追跡を終了させる、処理ブロック２０６に続く。例えば、電話システムは、モバイルデバイスに、その現在の位置または移動に関する位置データを送ることを停止させる。特定の例は、以下の図４Ａ〜４Ｂで説明される。
【００４７】
[0055]フロー２００は、電話システムが、電話呼の間、モバイルデバイスがもはや基地局に対して静止したままにならないことを検出する、処理ブロック２０８に続く。例えば、電話システムは、モバイルデバイスが基地局から切断された（例えば、物理的に切り離された）状態になることを検出することができる。別の例では、電話システムは、モバイルデバイスが基地局に対して移動し始めると決定する。
【００４８】
[0056]フロー２００は、電話システムが、電話呼の間、モバイルデバイスがもはやその位置に静止したままにならないことを示す信号を送る、処理ブロック２１０に続く。例えば、電話システムは、モバイルデバイスに、モバイルデバイスが現在移動していることを示す信号を電気通信制御システムに送らせ、これにより、電気通信制御システムにその位置を送信することになる。
【００４９】
[0057]フロー２００は、コードレス電話システムが、モバイルデバイスが基地局から離れることを検出したことに応答して、電話呼の間のモバイルデバイスに関する位置データの追跡を開始する、処理ブロック２１２に続く。電気通信制御システムは、次いで、モバイルデバイスの位置を追跡し、移動するモバイルデバイスと通信することができる。
【００５０】
[0058]図３では、フロー３００は、テレコムシステムがモバイルデバイスに電話信号を送る、処理ブロック３０２で始まる。フロー３００は、モバイルデバイスが電話呼の間所与の位置に静止したままになることを示す信号をテレコムシステムが受信する、処理ブロック３０４に続く。フロー３００は、モバイルデバイスが電話呼の間所与の位置に静止したままになることを示す信号を受信したことに応答して、テレコムシステムが、電話呼の間モバイルデバイスに関する位置データの追跡を終了させる、処理ブロック３０６に続く。フロー３００は、モバイルデバイスがもはやその位置に静止したままにならないことを示す信号をテレシステムが受信する処理ブロック３０８に続き、処理ブロック３１０において、テレコムシステムは、電話呼についてモバイルデバイスに関する位置データの追跡を開始する。
【００５１】
[0059]図４Ａおよび４Ｂは、フロー２００および３００で説明された動作の例を示している。図４Ａでは、ステージ「Ａ」において、電気通信制御システム（「テレコムシステム」）４５０は、（例えば、モバイルネットワークタワー４２２を介して）第１のモバイルデバイス４２１からの電話信号４１４を検出し、第２のモバイルデバイス４１２に対応する電話信号４１５を送る。テレコムシステム４５０は、モバイルネットワークタワーにおいて、およびモバイルネットワークの他のノードにおいて、例えば、（例えば、無線基地局、トランシーバ基地局、基地局コントローラ等としての）基地局サブシステムからのデバイス、ネットワーク交換サブシステムからのデバイス、パケット交換ネットワークからのデバイス、公衆交換電話ネットワークからのデバイス等の、１つまたは複数の異なるデバイスを含む。テレコムシステム４５０は、モバイルデバイス４１２にモバイルネットワークタワー４２０を介して、電話信号４１５（すなわち、電話信号４１４に関する）を送信する。電話信号４１５は、電話呼に関連付けられた識別子を介して（すなわち、モバイルデバイス４１２に割り当てられた電話番号、モバイルデバイスシリアル番号、ＳＩＭカード識別子等を介して）、モバイルデバイス４１２に割り当てられる。モバイルデバイス４１２は、通信リンクを介して、コードレス電話基地局（「基地局」）４０２とリンクされる。基地局４０２は、家や会社など、特定の地理的領域にローカライズされる。基地局４０２のブロードキャスト範囲は、概して、特定の地理的位置に制限され、コードレス電話規格（例えば、パーソナルアクセスシステム（ＰＡＳ）、デジタルエンハンスドコードレステレコミュニケーション（ＤＥＣＴ）、コードレス電話ジェネレーション（例えば、ＣＴ１、ＣＴ２等）、およびその他）に適合する。
【００５２】
[0060]テレコムシステム４５０は、電話信号４１４がモバイルデバイス４１２に向けられると決定する（例えば、モバイルデバイス４２１によってダイアルされた電話番号がモバイルデバイス４１２に割り当てられると決定する）。したがって、テレコムシステム４５０は、モバイルデバイス４１２に、対応する電話信号４１５を送信する。
【００５３】
[0061]ステージ「Ｂ」において、モバイルデバイス４１２は、通信転送のために基地局４０２にリンクする。言い換えると、モバイルデバイス４１２を対象とした通信は、基地局４０２に転送され、次に、基地局４０２は、コードレスハンドセット４０４に通信を転送し、その逆も行われる。例えば、基地局４０２とリンクされると、モバイルデバイス４１２は、モバイルデバイス４１２を一意的に識別するユニークな識別子（例えば、電話番号、シリアル番号、ＳＩＭカード番号等）を登録する。いくつかの例では、モバイルデバイス４１２は、基地局４０２への電話通信のための制御を転送する（つまり、テレコムシステム４５０と直接通信するために）。基地局４０２は、モバイルデバイス４１２をエミュレートする、アンテナ、マッチングＳＩＭカード等を含むことができる。いくつかの実施形態では、動作の一部は、（例えば、モバイルデバイス４１２に関連付けられたプロセッサを介して）モバイルデバイス４１２によって行われ、動作の一部は、（例えば、基地局４０２に関連付けられたプロセッサを介して）基地局４０２によって行われる。しかしながら、それらの互いとの通信リンクゆえに、モバイルデバイス４１２によって行われるいくつかの（または全ての）動作は、代わりとして、基地局４０２および／またはハンドセット４０４および４０５によって行われうる。したがって、モバイルデバイス４１２と基地局４０２との間のリンクされた関係ゆえに、およびどちらかが特定の動作を行いうることを特定しなければならないことを避けるために、以下の議論は、概して、いくつかの例において、モバイルデバイス４１２および／または基地局４０２によって行われうるある特定の動作を行うコードレス電話システム４０１に言及する。言い換えれば、いくつかの実施形態では、モバイルデバイス４１２が基地局４０２とリンクされるときには、モバイルデバイス４１２と基地局４０２との組み合わせは、コードレス電話システム４０１と呼ばれうる。したがって、本明細書における説明では、コードレス電話システム４０１によって行われる動作への言及は、基地局４０２のプロセッサ（および／または他のハードウェアもしくはソフトウェア）、モバイルデバイス４１２のプロセッサ（および／または他のハードウェアもしくはソフトウェア）、またはいくつかの組み合わせのいずれかによって行われる動作を含む。
【００５４】
[0062]さらに、ステージ「Ｂ」において、コードレス電話システム４０１は、電話信号４１５を受信し、電話信号４１５に割り当てられたモバイルデバイス４１２が基地局４０２で物理的にドッキングされていることを検出する。いくつかの例では、モバイルデバイス４１２は、モバイルデバイス４１２に関連付けられたアンテナを介して、入ってくる電話信号４１５を受信する。基地局４０２は、モバイルデバイス４１２が電話信号４１５に割り当てられたことを検出する。例えば、前に述べた通り、基地局４０２とリンクされると、モバイルデバイス４１２は、モバイルデバイス４１２を識別するユニークな識別子を登録してしまっていることがある。モバイルデバイス４１２は、電話信号４１５から、モバイルデバイス４１２のユニークな識別子に関連付けられた識別子を検出する。したがって、モバイルデバイス４１２は、電話信号４１５がモバイルデバイス４１２に関するものであると決定する。電話信号４１５を受信し、それがモバイルデバイス４１２に割り当てられると決定すると、モバイルデバイス４１２は、基地局４０２に電話信号４１５を転送する。基地局４０２は、モバイルデバイス４１２によって転送された電話信号４１４を受信する。基地局４０２が、モバイルデバイス４１２から転送された任意の電話信号がモバイルデバイス４１２に関連付けられると決定するので、基地局４０２もまた、電話信号４１５がモバイルデバイス４１２に関連付けられると決定することができる。しかしながら、他の実施形態では、電話信号４１５を受信する前に、モバイルデバイス４１２は、電気通信制御システム４５０と通信するために基地局４０２に制御を転送する。したがって、いくつかの実施形態では、基地局４０２は、電話信号４１５を受信し、それがモバイルデバイス４１２を対象としていたと決定する。基地局４０２はその後、モバイルデバイス４１２の代わりに、電気通信制御システム４５０との通信を開始する。
【００５５】
[0063]ステージ「Ｃ」において、コードレス電話システム４０１は、基地局４０２に関連付けられた位置におけるモバイルデバイス４１２の位置を示す信号４１６を送信する。基地局４０２およびモバイルデバイス４１２は静止している。したがって、ユーザがモバイルデバイス４１２を動かさない限り、基地局４０２は、モバイルデバイス４１２を物理的に静止したままにさせる。例えば、図４Ｂで示されているように、モバイルデバイス４１２が電話呼の間移動しないように、基地局４０２は、拘束された物理的位置にモバイルデバイス４１２を方向付け（orient）、サポートし、および載置（cradle）する傾斜壁を有するドッキングステーション４３３を含むことができる。いくつかの実施形態では、基地局４０２は、基地局４０２に対してモバイルデバイス４１２を取り付ける、物理的に結合する、または他の何らかの方法で静止させておくファスナ４３４を含む。ファスナ４３４は、モバイルデバイス４１２の対応する物理的接続部に留め付けられる物理的接続部を有する接続ポートを備えたドッキングステーションの一部でありうる。いくつかの実施形態では、接続ポートは、モバイルデバイスを静止状態に維持することに加えて、物理的コネクタ（例えば、モバイルデバイスの下部コネクタ）を介した電子的および／または通信データ交換を可能にしうる。いくつかの実施形態では、ファスナ４３４は、電子的および／または通信データ交換を有さない。例えば、ファスナ４３４は、留め金、吸盤、弾性ストラップ（elastic strap）、突起（prong）、ベルクロ（Ｖｅｌｃｒｏ（登録商標））パッチ、磁石、ケーブル、つなぎ紐、または電話呼の間モバイルデバイスを物理的に適当な位置に維持する他の手段でありうる。ファスナ４３４、または他のそのような物理的コネクタが電子的および／または通信データ交換を有さない例では、モバイルデバイス４１２と基地局４０２との間の通信は、依然としてワイヤレスに、および／またはファスナ４３４に関連付けられない別の物理的接続手段（connection）を介して行われうる。コードレス電話システム４０１は、例えば留付け部の係合（engaging）を検出する、またはモバイルデバイス４１２が基地局４０２の特定部に取り付けられていることを検出する（例えば、モバイルデバイス４１２が取り付けられる基地局４０２の特定部に関連付けられた磁場、圧力、重さ、電子信号等を検出する）センサによって、モバイルデバイス４１２が基地局４０２に結合されていることを検出することができる。いくつかの実施形態では、基地局４０２は、壁、家具、または基地局４０２が位置付けられている位置における何らかの他の静止物に基地局を取り付けるファスナを含む。
【００５６】
[0064]ステージ「Ｄ」において、信号４１６を送った後、コードレス電話システム４０１は、電気通信制御システム４５０を用いてモバイルデバイス４１２に関する位置データを追跡することを終了させる（例えば、位置データを生成すること、送ること、または受信することを控える）。モバイルネットワーク内で行われた電話呼は、通常、無線信号が精確にモバイルデバイス４１２に向けられるように、電話呼の間のモバイルデバイス４１２の精確な位置を示す位置データを含む。しかしながらモバイルデバイス４１２が静止しており、コードレス電話システム４０１が電話呼の少なくとも一部分にわたって移動しない場合、コードレス電話システム４０１は、モバイルデバイス４１２が静止している間、位置追跡が必要ないことを示す信号４１６を電気通信制御システム４５０に送る。モバイルデバイス４１２が電話呼の少なくとも一部分にわたって静止したままになるので、モバイルネットワークタワー４２０を用いた無線通信は、モバイルデバイス４１２および／または基地局４０２の位置が、基地局４０２の位置に固定されたままになり、その結果として、電話呼中に電気通信信号を受信または送信するモバイルデバイス４１２および／または基地局４０２のアンテナもまたその位置に固定されるという理由で、電話呼の一部の間、同様の送信ベクトルを使用しうる。基地局４０２は、コードレス電話信号にモバイル電話信号を変換するように構成され、コードレス電話信号はその後、基地局４０２がハンドセット４０４および４０５に通信する。図４Ａの例では、ハンドセット４０４は、電話呼を受信し、電話呼を行う。ハンドセット４０４は、基地局４０２に関連付けられた地理的位置において可動である。しかしながら、テレコムシステム４５０とコードレス電話システム４０１との間で通信される電話信号は、静止している、基地局４０２および／またはモバイルデバイス４１２のどちらかに送られる。
【００５７】
[0065]ステージ「Ｅ」において、電気通信制御システム４５０は、モバイルデバイス４１２が電話呼の間、所与の位置に静止したままになることを示す信号４１６を受信する。電気通信制御システム４５０は、信号４１６が受信されたことを示す応答信号を送ることができる。いくつかの実施形態では、コードレス電話システム４０１は、電気通信制御システム４５０から、それが信号４１６を受信したという応答を受信するまで、位置データの追跡を終了させるのを待つことができる。電気通信制御システム４５０はその後、さらなる通知まで、電話呼の間、モバイルデバイス４１２に関する位置データを追跡することを終了させる（例えば、位置データを生成すること、送ること、または受信することを控える）。
【００５８】
[0066]図４Ｂでは、ステージ「Ｇ」において、コードレス電話システム４０１は、モバイルデバイス４１２が電話呼の間基地局４０２から切り離される（undock）ことを検出する。ステージ「Ｈ」において、コードレス電話システム４０１は、モバイルデバイス４１２がもはや電話呼の間その位置に静止したままでないことを示す信号４１７を送る。ステージ「Ｉ」において、モバイルデバイス４１２が基地局４０２から物理的に切り離されると決定したことに応答して、モバイルデバイス４１２は、電話呼の間のモバイルデバイス４１２に関する位置データの追跡を開始する。いくつかの実施形態では、モバイルデバイス４１２が基地局４０２から切り離されるけれども、モバイルデバイス４１２および基地局４０２は、（例えば、Ｂｌｕｅｔｏｏｔｈ（登録商標）を介して）ワイヤレスにリンクされたままでありうる。言い換えれば、モバイルデバイス４１２は、基地局４０２に電話信号を送り続けることができ、それを基地局４０２は、ハンドセット４０４に送り続けることができる。しかしながら他の実施形態では、基地局４０２は、モバイルデバイス４１２が基地局４０２から切り離されるとすぐに、ハンドセット４０４との通信を終了させうる。
【００５９】
[0067]いくつかの実施形態では、コードレス電話システム４０１は、電話呼の間、モバイルデバイス４１２に関する位置データの追跡を再開するためのトリガを示す、ハンドセット４０４に関連付けられたイベントを検出することができる。例えば、ハンドセット４０４上でボタンが押されたことに応答して、またはハンドセット４０４が電話呼中に基地局に物理的にドッキングされることに応答して、コードレス電話システム４０１は信号４１７を送ることができる。
【００６０】
[0068]ステージ「Ｊ」において、電気通信制御システム４５０は、モバイルデバイス４１２がもはや、基地局４０２に関連付けられた位置に静止したままではないことを示す信号４１７を受信する。ステージ「Ｋ」において、信号４１７を受信したことに応答して、電気通信制御システム４５０は、電話呼の間のモバイルデバイス４１２に関する位置データの追跡を開始する。
【００６１】
[0069]図５は、１つまたは複数のリンクされたモバイルデバイスを使用して、基地局を通じてインターネットアクセスを提供することを示す例示的なフロー図（「フロー」）５００である。図６は、図５で説明されている動作の一例を示す図である。この説明は、図５と図６を同時に説明する。図５では、フロー５００は、電話システム（「システム」）が、基地局にリンクされたワイヤレスデバイスからのインターネットデータを求める要求を検出する、処理ブロック５０２で始まり、ここにおいてインターネットデータを求める要求は、第１の通信フォーマットで通信される。例えば、図６では、ステージ「Ａ」において、コードレス電話基地局（「基地局」）６０２は、２つのモバイルデバイス６１０および６１２とリンクする。コードレスハンドセット６０４および６０５、ラップトップ６４５、タブレットコンピュータ６４６、テレビ（図示せず）等の様々な追加のデバイスもまた、基地局６０２にリンクされうる。モバイルデバイス６１０および６１２は各々、１つまたは複数のモバイルネットワークオペレータまたはワイヤレスサービスプロバイダを介したインターネットアクセスを有する。モバイルデバイス６１０および６１２は、グラフィカルインターフェースを介してインターネットデータを受信および提示することができる、ウェブブラウザのようなアプリケーションを有する。インターネットデータは、ウェブページ、インターネットビデオ／オーディオストリーミング等を構成するデータのような、インターネットブラウザを介した提示のためのデータである。インターネットデータは、モバイルネットワークオペレータまたはワイヤレスサービスプロバイダによって提供されるインターネットアクセスサービスを介してアクセス可能である。追加のデバイスのいずれもまた、ブラウザアプリケーションを含むことができる。例えば、ユーザがコードレスハンドセット６０４を介してブラウザアプリケーションを起動し、（例えば、ブラウザにおけるユニフォームリソースロケーション、すなわち「ＵＲＬ」アドレスフィールドを介して）インターネットアドレスにアクセスすることを要求するときには、ブラウザアプリケーションは、そのインターネットアドレスに関するウェブコンテンツにアクセスすることを要求する。したがってステージ「Ａ」において、コードレスハンドセット６０４は、ローカルネットワークを介した通信のための第１のフォーマット（例えば、コードレス電話通信のための無線信号フォーマット、Ｗｉ−Ｆｉ（登録商標）フォーマット等）で要求（例えば、信号６２５）を基地局６０２に送る。いくつかの実施形態では、ローカルネットワークを介した通信は、ＩＥＥＥ８０２．１１規格または「Ｗｉ−Ｆｉ」に基づいた通信規格を利用する。いくつかの例では、基地局６０２とコードレスハンドセット６０４との間の通信は、パーソナルアクセスシステム（ＰＡＳ）、デジタルエンハンスドコードレステレコミュニケーション（ＤＥＣＴ）、コードレス電話ジェネレーション（例えば、ＣＴ１、ＣＴ２等）、およびその他のような、コードレス電話通信フォーマット通じて生じる。
【００６２】
[0070]一時的に図５に戻ると、フロー５００は、システムが、基地局にリンクされたモバイルデバイスに、モバイル電話通信のための第２の通信フォーマットを使用してモバイル電話ネットワークを介してインターネットデータを求める要求を通信させる、処理ブロック５０４に続く。例えば、図６では、ステージ「Ｂ」において、基地局６０２は、モバイルデバイスの少なくとも１つ（例えば、モバイルデバイス６１２）において、ハンドセット６０４によって行われた要求にしたがってそのそれぞれのモバイルネットワークオペレータを介してインターネットデータを取得することを要求する。例えば、モバイルデバイス６１２は、基地局６０２から要求を受信し、ステージ「Ｃ」において、モバイルネットワークタワー６２０を介して電気通信制御システム６５０に、第２のフォーマットでモバイルネットワーク無線信号６１６を送る。電気通信制御システム６５０は、要求を処理し、ステージ「Ｄ」において、ハンドセット６０４によって最初に要求されたウェブコンテンツに関するインターネットデータを含む信号６１８を送る。電気通信制御システム６５０は、モバイルネットワーク無線信号を介して信号６１８を送る。
【００６３】
[0071]一時的に図５に戻ると、フロー５００は、システムがモバイルデバイスを介して、インターネットデータを求める要求に対する応答を受信する、処理ブロック５０６に続き、ここにおいて応答は、第２のフォーマットを通じて通信される。例えば、図６では、ステージ「Ｅ」において、モバイルデバイス６１２は、インターネットデータを含み、基地局６０２にインターネットデータを提供する信号６１８を受信する。
【００６４】
[0072]一時的に図５に戻ると、フロー５００は、システムが応答から第１のフォーマットを通じてワイヤレスデバイスにインターネットデータを送信する、処理ブロック５０８に続く。例えば、図６では、ステージ「Ｆ」において、基地局６０２は、位置ネットワークの第１のフォーマットで（例えば、コードレス電話通信フォーマット、ローカルエリアネットワークフォーマット、等で）、ハンドセット６０４（および／またはあらゆる他のリンクされたデバイス）にインターネットデータを送信する。ハンドセット６０４はその後、ウェブブラウザを介してインターネットデータを提示する。
【００６５】
[0073]いくつかの実施形態では、基地局６０２は、モバイルデバイス６１２と６１０の両方に、同時にそれらのそれぞれのインターネットプロバイダにアクセスし、インターネットデータを取得するようにとの要求を送る。言い換えると、モバイルデバイス６１２が電気通信制御システム６５０と通信するときには、モバイルデバイス６１０は、モバイルネットワークタワー６２１を介して電気通信制御システム６５１と通信する（つまり、モバイルデバイス６１０は信号６１７を送り、信号６１９を受信する）。電気通信制御システム６５１は、電気通信制御システム６５０に関連付けられたワイヤレスサービスプロバイダとは異なる第２のワイヤレスサービスプロバイダに関連付けられうる。いくつかの実施形態では、モバイルデバイス６１０および６１２は、（例えば、同じ電気通信制御システムを介して）同じワイヤレスサービスプロバイダを利用することができる。さらに、いくつかの実施形態では、モバイルデバイス６１０および６１２は、異なるモバイルネットワークタワーから、の代わりに、同じモバイルネットワークタワーから、信号６１６および６１７を受信することができる。いくつかの実施形態では、モバイルデバイス６１０と６１２とが両方ともインターネットアクセスを提供するときには、基地局６０２は、リンクされたデバイスに（例えば、ラップトップ６４５、タブレットコンピュータ６４６、ハンドセット６０４、等に）に与えられたインターネットデータ帯域幅を増大することができる。リンクされたデバイスは、増大した帯域幅を使用してより速いレートでインターネットデータを提示することができる。基地局上のユーザインターフェース６０６もまた、ウェブブラウザを介してインターネットデータを提示することができる。モバイルデバイス６１０と６１２の両方は同時に、基地局６０２のための帯域幅に寄与する。前述のように、いくつかの実施形態では、モバイルデバイス６１０および６１２は、基地局６０２と物理的にドッキングされる必要はない。モバイルデバイス６１０または６１２が物理的にドッキングされる場合、位置追跡は、ドッキングされている間の静止しているモバイルデバイス６１０および６１２から終了させられることができ、これにより、位置データを通信する必要性をなくし、結果として利用可能な帯域幅をさらに増大させる。
【００６６】
[0074]図７は、基地局を介してモバイルデバイスからのデータを使用することを示す例示的なフロー図（「フロー」）７００である。図８は、図７で説明されている動作の一例を示す図である。この説明は、図７と図８を同時に説明することになる。図７では、フロー７００は、電話システム（「システム」）が基地局とリンクされた１つまたは複数のモバイルデバイスの第１のアプリケーションから第１のデータを受信する、処理ブロック７０２で始まる。例えば、図８では、コードレス電話基地局（「基地局」）８０２は、モバイルデバイス８１０からデータ８３１を読み込む。データ８３１は、構成データ、電子メールデータ、コンタクトデータ、カレンダデータ、インターネットデータ、電話設定、アプリケーションデータ、システムデータ、ユーザデータ、制御データなど、モバイルデバイス８１０のアプリケーションのいずれかを介して使用されるあらゆる種類のデータを含む。いくつかの実施形態では、データは、アプリケーション、ファイル、メディア、または他のそのような情報を含む。
【００６７】
[0075]一時的に図７に戻ると、フロー７００は、システムが基地局にリンクされた１つまたは複数のモバイルデバイスの第２のアプリケーションから第２のデータを受信する、処理ブロック７０４に続く。例えば、図８では、基地局８０２は、モバイルデバイス８１２からデータ８３２を読み込む。データ８３２は、モバイルデバイス８１２のアプリケーションのいずれかを介して使用されるあらゆる種類のデータを含む。データ８３２は、データ８３１に類似しており、例として、構成データ、電子メールデータ、コンタクトデータ、カレンダデータ、インターネットデータ、電話設定、アプリケーションデータ、システムデータ、ユーザデータ、制御データ、アプリケーション、ファイル、メディア、または他のそのような情報でありうる。データ８３１および８３２は、モバイルデバイス８１０および８１２の各々上に別個に記憶される。いくつかの実施形態では、基地局８０２は、モバイルデバイス８１０と８１２の両方から同時にデータ８３１と８３２を読み込む。
【００６８】
[0076]一時的に図７に戻ると、フロー７００は、システムが基地局に関連付けられた第３のアプリケーションを介して同時に第１のデータと第２のデータを提示する、処理ブロック７０６に続く。例えば、図８では、基地局８０２は、データ８３１および８３２を受信し、基地局８０２のうちの１つのアプリケーションを介して（例えば、インターフェース８０６を介して）、あるいは、ハンドセット８０４および８０５、ラップトップ８４５、タブレットコンピュータ８４６、またはモバイルデバイス８１０もしくは８１２のうちの１つのような、基地局８０２にリンクされた任意のデバイスの１つのアプリケーションを介した使用（例えば、モバイルデバイス８１０または８１２は、データ８３１および８３２から最初に取得されたアグリゲートされたデータを受信する）のためにデータ８３１および８３２をアグリゲートすることができる。例えば、ハンドセット８０４は、モバイルデバイス８１０または８１２のいずれかを通じて呼び出す呼び出し側（callers）に関するコンタクトデータを示すコンタクトアプリケーションを含む。ハンドセット８０４は、コンタクトアプリケーションを起動し、インターフェース８０８を介してそれを提示する。呼が、例えばモバイルデバイス８１０を介して受信されるとき、基地局８０２は、データ８３１から、入ってくる電話番号がデータ８３１内のモバイルデバイス８１０上に記憶された所与のコンタクトに関連付けられていることを検出する。したがって、基地局８０２は、コンタクトのためにコンタクト情報（例えば、名前および電話番号）をハンドセット８０４に提供する。ハンドセット８０４のコンタクトアプリケーションは、コンタクトについての情報を提示する。ハンドセット８０４のユーザは、コンタクトの電子メールアドレス、家の住所、会社の電話番号、ニックネーム、またはコンタクトアプリケーションに記憶されたあらゆる他のタイプの情報のような、コンタクトについての追加の情報を探し求めるために、インターフェース８０８を介してコンタクトアプリケーションにアクセスする。データ８３１は、コンタクトに関する名前および電話番号のみを含むことができる。しかしながら、データ８３２は、電子メールアドレスのような、データ８３１に含まれていないコンタクトについての追加のデータを含みうる。モバイルデバイス８１２が基地局８０２とリンクされているので、基地局８０２は、データ８３２からのコンタクトについてのあらゆる情報（例えば、電子メールアドレス）を提供することができる。したがって、モバイルデバイス８１０および８１２は、基地局８０２および／または基地局８０２にリンクされたデバイスによって実行されるあらゆるアプリケーションのためのデータストアである。したがってハンドセット８０４は、（例えば、ハンドセット８０４のための電子メールアプリケーションを介して）ハンドセット８０４からモバイルデバイス８１０を介してコンタクトに電子メールを送るために、追加の情報（例えば、電子メールアドレス）を使用することができる。いくつかの実施形態では、基地局８０２が、データ８３２に含まれるデータのいくつかがデータ８３１に含まれていないことを検出したことに応答して、基地局��０２はまた、データ８３１にデータ８３２のいくつか（例えば、データ８３１から欠けている基地局８０２によって使用されたデータ、およびその逆）を書き込むようにも構成されうる。例えば、ハンドセット８０４がコンタクトの電子メールアドレスを使用したときには、基地局８０２は、データ８３２からデータ８３１に電子メールアドレスを書き込む。
【００６９】
[0077]いくつかの実施形態では、基地局８０２は、モバイルデバイス８１０または８１２のうちの１つに関連付けられたアプリケーションストアにアクセスし、他のモバイルデバイスに、またはタブレットコンピュータ８４６、ハンドセット８０４および８０５、またはラップトップ８４５のようなリンクされたデバイスのうちのいずれかにアプリケーションを提供する。
【００７０】
[0078]本明細書（例えば、図１〜８）で説明されているデバイスおよび動作が、実施形態を理解するのを助けるように企図された例であり、実施形態を制限する、または請求項の範囲を制限するように使用されるべきではないことは理解されるべきである。実施形態は、追加の動作、より少ない動作、異なる順序における動作、並列の動作、および、いくつかの動作を異なって行うことができる。いくつかの実施形態にしたがって、電話システム（「システム」）は、モバイルデバイスと基地局（例えば、コードレス電話基地局）との間の通信を制御するために、様々な追加の実例となるデバイス、動作等を提供することができる。以下の完全に網羅されていないリストは、いくつかの可能性のある追加の実施形態を列挙している。
【００７１】
[0079]いくつかの実施形態で、モバイルデバイスが（例えば、物理的電力コネクタを介して、またはワイヤレス充電を介して）基地局に物理的にドッキングされるとき、基地局は、モバイルデバイスに電力を供給することができる。
【００７２】
[0080]別の例では、基地局が電話呼を受信するとき、基地局は、複数のモバイルのうちのどれが電話呼を受信したかを識別し、モバイルデバイスのうちの特定の１つにマッチングされた着信音を用いて鳴ることができる。言い換えると、基地局は、モバイルデバイスのうちのどれが電話呼を受信したかを一意的に識別する異なるベル音を有するように構成される。
【００７３】
[0081]別の例では、基地局は、いずれかの、または全てのリンクされたモバイルデバイスのための、組み合わされたボイスメールを有することができる。別の例では、基地局は、ハンドセットのうちの１つから別のハンドセットに、または別のモバイルデバイスに呼を転送することができる。
【００７４】
[0082]別の例では、基地局は、最初に呼を受信したモバイルデバイスのうちの１つにコールバックを転送することができる（例えば、呼がモバイルデバイスを介して最初に受信された場合で、ユーザが電話呼中に基地局からモバイルデバイスを切り離す場合、基地局は瞬時にモバイルデバイスに呼を転送する。）
[0083]別の例では、基地局は、別の呼が地上線から、またはモバイルデバイスのいずれかから入ってくる場合、通話中着信（call waiting）を有効にすることができる（例えば、モバイルデバイスが呼を受信し、ハンドセットのうちの１つに呼を転送した後に、第１の呼が進行中である間、第２の呼がモバイルデバイスに入ってくる場合、使用中のハンドセットのいずれかは、第２の呼を待っている呼を示すために警告音を生成し、いくつかの例では、通話中着信セルラＩＤのために第２の呼に関連付けられた番号を提示することもできる）。
【００７５】
[0084]別の例では、基地局は、複数のリンクされたモバイルデバイスから基地局で同時に受信される複数の電話呼を互いにカンファレンスする（例えば、基地局にリンクされたモバイルデバイスから独立して受信された呼を互いにカンファレンスする）ことができる。
【００７６】
[0085]当業者によって認識されることになるように、本発明の主題の態様は、システム、方法、またはコンピュータプログラム製品として実現されうる。したがって、本発明の主題の態様は、完全なハードウェア実施形態、（ファームウェア、常駐ソフトウェア、マイクロコード等を含む）ソフトウェア実施形態、または、ソフトウェアとハードウェア態様を組み合わせる実施形態の形態をとることができ、それらは全て、概して「回路」、「モジュール」、または「システム」として本明細書では称されうる。さらに、本発明の主題の態様は、コンピュータ可読プログラムコードが実現された１つまたは複数のコンピュータ可読媒体（１つまたは複数）において実現されたコンピュータプログラム製品の形態をとることができる。
【００７７】
[0086]１つまたは複数のコンピュータ可読媒体（１つまたは複数）のあらゆる組み合わせが利用されうる。コンピュータ可読媒体は、コンピュータ可読信号媒体、またはコンピュータ可読記憶媒体でありうる。コンピュータ可読記憶媒体は、制限されないが、例えば、電子、磁気、光学、電磁気、赤外線、もしくは半導体のシステム、装置、もしくはデバイス、または前述のもののあらゆる適した組み合わせでありうる。コンピュータ可読記憶媒体のより特定の例（完全に網羅されていないリスト）は、以下のもの：１つまたは複数のワイヤを有する電気接続手段、ポータブルコンピュータディスケット、ハードディスク、ランダムアクセスメモリ（ＲＡＭ）、読み取り専用メモリ（ＲＯＭ）、消去可能プログラマブル読み取り専用メモリ（ＥＰＲＯＭ、またはフラッシュメモリ）、光ファイバ、ポータブルコンパクトディスク読み取り専用メモリ（ＣＤ−ＲＯＭ）、光記憶デバイス、磁気記憶デバイス、または前述のもののあらゆる適した組み合わせ、を含む。この文書のコンテキストでは、コンピュータ可読記憶媒体は、命令実行システム、装置、もしくはデバイスによって、またはそれらに関連して使用されるプログラムを含む、または記憶することができるあらゆる有体媒体でありうる。コンピュータ可読信号媒体は、例えば、ベースバンドにおいて、または搬送波の一部として、コンピュータ可読プログラムコードが実現された伝搬されるデータ信号を含むことができる。そのような伝搬される信号は、制限されないが、電磁気、光学、またはそれらのあらゆる適した組み合わせを含む、様々な形態のいずれかをとりうる。コンピュータ可読信号媒体は、コンピュータ可読記憶媒体ではなく、命令実行システム、装置、もしくはデバイスによって、またはそれらに関連して使用されるプログラムを通信、伝搬、またはトランスポートすることができる任意のコンピュータ可読媒体でありうる。コンピュータ可読媒体上で実現されるプログラムコードは、制限されないが、ワイヤレス、ワイヤライン、光ファイバケーブル、ＲＦ等、または前述のもののあらゆる適した組み合わせを含む、あらゆる適切な媒体を使用して送信されうる。
【００７８】
[0087]図９は、電子デバイス９００の１つの実施形態のブロック図である。いくつかの実施形態では、電子デバイス９００は、コードレス電話基地局でありうる。電子デバイス９００は、（場合により、複数のプロセッサ、複数のコア、複数のノードを含む、および／またはマルチスレッドを実行する、等の）プロセッサユニット９０２を含む。電子デバイス９００は、メモリユニット９０６を含む。メモリユニット９０６は、システムメモリ（例えば、キャッシュ、ＳＲＡＭ、ＤＲＡＭ、ゼロキャパシタＲＡＭ、ツイントランジスタＲＡＭ、ｅＤＲＡＭ、ＥＤＯ  ＲＡＭ、ＤＤＲ  ＲＡＭ、ＥＥＰＲＯＭ（登録商標）、ＮＲＡＭ、ＲＲＡＭ（登録商標）、ＳＯＮＯＳ、ＰＲＡＭ等）、または上記ですでに説明された機械可読記憶媒体の可能性のある具現化（realization）のうちの任意の１つまたは複数でありうる。電子媒体９００はまた、バス９１０（例えば、ＰＣＩ、ＩＳＡ、ＰＣＩ−Ｅｘｐｒｅｓｓ、ＨｙｐｅｒＴｒａｎｓｐｏｒｔ（登録商標）、ＩｎｆｉｎｉＢａｎｄ（登録商標）、ＮｕＢｕｓ、ＡＨＢ、ＡＸＩ等）、および対応する通信ネットワークに電子デバイス９００を接続する、ワイヤレスネットワークインターフェース（例えば、ＷＬＡＮインターフェース、Ｂｌｕｅｔｏｏｔｈ（登録商標）インターフェース、ＷｉＭＡＸ（登録商標）インターフェース、ＺｉｇＢｅｅ（登録商標）インターフェース、ワイヤレスＵＳＢインターフェース等）、およびワイヤードネットワークインターフェース（例えば、電力線通信インターフェース、イーサネット（登録商標）インターフェース等）のうちの少なくとも１つを含むネットワークインターフェース９０４も含む。
【００７９】
[0088]電子デバイス９００はまた、通信ユニット９０８も含む。通信ユニット９０８は、モバイルデバイス制御ユニット９１３、およびいくつかの例では、追加の専用のプロセッサならびにメモリを備える。いくつかの実施形態では、通信ユニット９０８およびプロセッサユニット９０２は、モバイルデバイスと基地局との間の通信を制御するために、図１〜８を参照して上記で説明された機能を実行することができる。例えば、いくつかの実施形態では、モバイルデバイス制御ユニット９１３は、（例えば、ワイヤレスに、ワイヤード接続手段を介して、等で）１つまたは複数のモバイルデバイスと基地局との間に通信リンクを確立するように構成される。いくつかの例では、モバイルデバイス制御ユニット９１３は、電話呼、アプリケーション、インターネットアクセス等に関連付けられた情報のような情報を、基地局と１つまたは複数のモバイルデバイスとの間で通信するように構成される。これらの機能のうちのどれも、ハードウェアにおいておよび／またはプロセッサユニット９０２上で部分的に（または全体的に）実行されうる。例えば、機能は、特定用途向け集積回路を用いて、プロセッサユニット９０２で実行される論理において、周辺デバイスまたはカード上のコプロセッサ（co-processor）において、等で、実行されうる。さらに具現化は、図９で例示されていない、より少ないコンポーネント、または追加のコンポーネント（例えば、ビデオカード、オーディオカード、追加のネットワークインターフェース、周辺デバイス等）を含むことができる。例えば、通信ユニット９０８は、バス９１０に結合されたプロセッサユニット９０２とは異なる１つまたは複数の追加のプロセッサを備えることができる。プロセッサユニット９０２、メモリユニット９０６、およびネットワークインターフェース９０４は、バス９１０に結合される。バス９１０に結合されとして例示されているけれども、メモリユニット９０６は、プロセッサ９０２に結合されうる。いくつかの実施形態では、電子デバイス９００は、入力および／または出力デバイス（「Ｉ／Ｏデバイス」）９０７を含む。Ｉ／Ｏデバイス９０７は、例えば、モバイルデバイスに接続するように使用されうる。いくつかの実施形態では、電子デバイス９００はまた、１つまたは複数の記憶デバイス（「（１つまたは複数の）記憶デバイス」）９０９もまた含むことができる。
【００８０】
[0089]実施形態が様々な実行および実施を参照して説明されている一方で、これらの実施形態が例示であり、本発明の主題の範囲がそれらに制限されないことは理解されるだろう。概して、本明細書で説明されているような、モバイルデバイスと基地局との間の通信を制御するための技法は、１つまたは複数のあらゆるハードウェアシステムと一貫したファシリティを用いて実行されうる。多くのバリエーション、変更、追加、および改善が可能である。
【００８１】
[0090]単一の例として本明細書で説明されているコンポーネント、動作、および構造に対して複数の事例が提供されうる。最後に、様々なコンポーネント、動作、およびデータ貯蔵場所の間の境界は、幾分曖昧であり、特定の動作が特定の例示的な構成のコンテキストにおいて例示されている。機能の他の割り振りが想定され、本発明の主題の範囲内に入りうる。概して、典型的な構成における別個のコンポーネントとして提示されている構造および機能は、組み合わせられた構造またはコンポーネントとして実装されうる。同様に、単一のコンポーネントとして提示されている構造および機能は、別個のコンポーネントとして実装されうる。これらの、および他のバリエーション、変更、追加、および改善が、本発明の主題の範囲内に入りうる。
【図１】
2015537435.tif 000003
【図２】
2015537435.tif 000004
【図３】
2015537435.tif 000005
【図４Ａ】
2015537435.tif 000006
【図４Ｂ】
2015537435.tif 000007
【図５】
2015537435.tif 000008
【図６】
2015537435.tif 000009
【図７】
2015537435.tif 000010
【図８】
2015537435.tif 000011
【図９】
2015537435.tif 000012
【手続補正書】
【提出日】平成27年6月16日(2015.6.16)
【手続補正１】
【補正対象書類名】特許請求の範囲
【補正対象項目名】全文
【補正方法】変更
【補正の内容】
【特許請求の範囲】
【請求項１】
モバイルデバイスと基地局との間の通信リンクを確立することと、ここにおいて前記通信リンクは、ローカルネットワークを介して前記モバイルデバイスと前記基地局との間の通信の交換を可能にする、
前記基地局において、前記通信リンクを介して、前記ローカルネットワークとは異なるモバイルネットワークを介して受信された前記モバイルデバイスの電話呼の開始を決定することと、
前記電話呼の開始を決定したことに応答して、前記モバイルデバイスが静止していると決定することと、
前記モバイルデバイスが静止したままである間、前記電話呼の少なくとも一部分にわたって前記モバイルネットワーク内での前記モバイルデバイスの位置追跡を終了させることと、
を備える、モバイル通信のための方法。
【請求項２】
前記電話呼の開始を決定することは、前記基地局において、前記通信リンクを介して、前記モバイルデバイスの前記電話呼に関連付けられた通信信号を受信することを備え、前記方法は、
前記基地局の電話ハンドセットを用いた使用のための通信フォーマットに前記通信信号を変換することと、
前記通信信号を変換した後に前記電話ハンドセットに前記通信信号を送信することと、
をさらに備える、請求項１に記載の方法。
【請求項３】
前記モバイルネットワーク内での前記モバイルデバイスの位置追跡を終了させることは、前記モバイルデバイスが、前記電話呼の前記少なくとも一部分にわたって静止したままになることを示す通信信号を送信することを備える、請求項１に記載の方法。
【請求項４】
前記通信信号を送信することは、前記モバイルデバイスに関連付けられたモバイルネットワークオペレータのために前記モバイルデバイスの位置追跡を実行する電気通信制御システムに関連付けられたアドレスに前記通信信号を送信することを備える、請求項３に記載の方法。
【請求項５】
前記モバイルデバイスが前記電話呼の前記少なくとも一部分にわたって静止したままになると決定することは、前記モバイルデバイスが、前記基地局に対して前記モバイルデバイスを物理的に拘束する、前記基地局の物理的ドッキングステーション内に位置していることを検出することと、前記モバイルデバイスが前記基地局に留め付けられていることを検出することとからなるグループのうちの少なくとも１つのメンバーを備える、請求項１に記載の方法。
【請求項６】
前記通信リンクを確立することは、前記モバイルデバイスの第１のＳＩＭカードのユニークな識別子を前記基地局の第２のＳＩＭカードに関連付けることを備える、請求項１に記載の方法。
【請求項７】
プロセッサによって実行されたときに前記プロセッサに動作を行わせる命令を記憶した機械可読記憶媒体であって、前記動作は、
モバイルデバイスと基地局との間の通信リンクを確立することと、ここにおいて前記通信リンクは、前記モバイルデバイスと前記基地局との間のデータ通信を可能にする、
モバイルネットワークを介した前記モバイルデバイスによる電話呼の受信を示す、前記モバイルデバイスからの第１の通信信号を検出することと、
前記第１の通信信号を受信したことに応答して、前記モバイルデバイスが前記基地局に物理的に結合されていると決定することと、ここにおいて前記基地局は、前記モバイルデバイスを、前記モバイルデバイスが前記基地局に物理的に結合されている間、前記電話呼の少なくとも一部分にわたって静止したままにさせるものである、
前記モバイルネットワークを介して、前記モバイルデバイスが前記基地局に物理的に結合されたままである間、前記電話呼の前記少なくとも一部分にわたって位置追跡を終了させるための第２の通信信号を送信することと、
を備える、機械可読記憶媒体。
【請求項８】
前記第２の通信信号を送信するための動作は、前記モバイルデバイスに関連付けられたモバイルネットワークサービスプロバイダのために前記モバイルデバイスの位置追跡を実行する電気通信システムに関連付けられたアドレスに前記第２の通信信号を送信することを含む、請求項７に記載の機械可読記憶媒体。
【請求項９】
前記基地局は、前記基地局に対して前記モバイルデバイスを物理的に拘束する、前記基地局の物理的ドッキングステーション、および前記基地局に前記モバイルデバイスを取り付けるファスナからなるグループのうちの少なくとも１つのメンバーを介して、前記基地局に前記モバイルデバイスを物理的に結合する、請求項７に記載の機械可読記憶媒体。
【請求項１０】
前記モバイルデバイスと前記基地局との間の前記通信リンクを確立するための前記動作は、前記モバイルデバイスの第１のＳＩＭカードのユニークな識別子を前記基地局の第２のＳＩＭカードに関連付けることを含む、請求項７に記載の機械可読記憶媒体。
【請求項１１】
プロセッサと、
命令を記憶するためのメモリと、
を備えるシステムであって、前記命令は、前記プロセッサによって実行されたときに、前記システムに、
モバイルデバイスと基地局との間の通信リンクを確立することと、ここにおいて前記通信リンクは、前記モバイルデバイスと前記基地局との間のデータ通信を可能にする、
前記モバイルデバイスに割り当てられた電話呼を受信することと、ここにおいて前記電話呼は、モバイルネットワークを介して送信される、
前記電話呼の受信に応答して、前記モバイルデバイスが前記基地局に物理的に結合されていると決定することと、ここにおいて前記基地局は、前記モバイルデバイスを、前記モバイルデバイスが前記基地局に物理的に結合されている間、前記電話呼の少なくとも一部分にわたって静止したままにさせるものである、
前記モバイルネットワークを介して、前記モバイルデバイスが前記基地局に物理的に結合されたままである間、前記電話呼の前記少なくとも一部分にわたって前記モバイルデバイスの位置追跡を終了させるための通信信号を送信することと、
を実行させる、システム。
【請求項１２】
前記システムに前記通信信号を送信することを実行させる命令は、前記システムに、電気通信制御システムに関連付けられたアドレスに前記通信信号を送信させる命令を備え、ここにおいて前記電気通信制御システムは、前記モバイルデバイスのモバイル電話サービスプロバイダに関連付けられる、請求項１１に記載のシステム。
【請求項１３】
前記基地局は、前記基地局に対して前記モバイルデバイスを物理的に拘束する、前記基地局の物理的ドッキングステーション、および前記基地局に前記モバイルデバイスを取り付けるファスナからなるグループのうちの少なくとも１つのメンバーを介して、前記基地局に前記モバイルデバイスを物理的に結合する、請求項１１に記載のシステム。
【請求項１４】
前記システムに前記通信リンクを確立することを実行させる命令は、前記システムに、前記モバイルデバイスの第１のＳＩＭカードのユニークな識別子を前記基地局の第２のＳＩＭカードに関連付けさせる命令を備える、請求項１１に記載のシステム。
【請求項１５】
基地局にリンクされた第１のデバイスから第１の信号を検出することと、ここにおいて前記第１の信号は、インターネットデータを求める要求を含み、インターネットデータを求める前記要求は第１のフォーマットで前記第１の信号を介して通信される、
前記基地局にリンクされたモバイルデバイスに、インターネットデータを求める前記要求を備えた第２の信号を通信させることと、ここにおいて前記第２の信号は、前記第１のフォーマットとは異なる第２のフォーマットを通じて通信され、前記第２のフォーマットは、モバイルネットワーク通信のためのものである、
前記基地局にリンクされた前記モバイルデバイスを介して、インターネットデータを求める前記要求に対する応答を備えた第３の信号を受信することと、前記第３の信号は、前記インターネットデータを含み、前記第３の信号は前記第２のフォーマットを介して通信される、
前記基地局から前記第１のデバイスに、前記インターネットデータを含む第４の信号を送信することと、ここにおい前記第４の信号は、前記第１のフォーマットを使用して通信される、
を備える、モバイル通信のための方法。
【請求項１６】
前記第１の信号を検出したことに応答して、前記第１の信号を前記第１のフォーマットから前記第２のフォーマットの前記第２の信号に変換することと、
前記第３の信号を受信したことに応答して、前記第３の信号を前記第２のフォーマットから前記第１のフォーマットの前記第４の信号に変換することと、
をさらに備える、請求項１５に記載の方法。
【請求項１７】
前記第１のデバイスは、前記基地局のコードレスハンドセットであり、ここにおいて前記コードレスハンドセットは、ブラウザアプリケーションを介して前記インターネットデータを提示するものであり、前記第１のフォーマットは、コードレス電話通信のために使用される通信フォーマットを備える、請求項１５に記載の方法。
【請求項１８】
前記第１のデバイスは、ワイヤレスデバイスであり、ここにおいて前記ワイヤレスデバイスは、ブラウザアプリケーションを介して前記インターネットデータを提示するものであり、前記第１のフォーマットは、ローカルネットワークを介してワイヤレス通信のために使用される通信フォーマットを備える、請求項１５に記載の方法。
【請求項１９】
前記モバイルデバイスは、モバイルネットワークを介して前記インターネットデータにアクセスすることを認可される、請求項１５に記載の方法。
【請求項２０】
前記第１のフォーマットは、パーソナルアクセスシステム（ＰＡＳ）フォーマット、デジタルエンハンスドコードレステレコミュニケーション（ＤＥＣＴ）フォーマット、およびコードレス電話ジェネレーションフォーマットからなるグループのうちの少なくとも１つのメンバーを備える、請求項１５に記載の方法。
【請求項２１】
システムであって、
モバイルネットワークを介して、モバイルネットワーク通信のための第１の通信フォーマットを通じてインターネットデータを受信することのためのモバイルデバイスと、
前記モバイルデバイスとの第１の通信リンクを確立することと、
第２のデバイスとの第２の通信リンクを確立することと、
前記第２のデバイスから前記第２の通信リンクを介して、前記インターネットデータを求める要求を決定することと、ここにおいて前記インターネットデータを求める前記要求は、前記第１の通信フォーマットとは異なる第２の通信フォーマットを通じて通信される、
前記インターネットデータを求める前記要求の検出に応答して、前記第１の通信リンクを介して、前記第１の通信フォーマットを通じて前記モバイルデバイスからの前記インターネットデータを受信することと、
前記第２の通信リンクを介して、前記第２の通信フォーマットを使用して前記第２のデバイスに前記インターネットデータを提供することと、
を行うための基地局と、
を備えるシステム。
【請求項２２】
前記第２のデバイスは、前記基地局のコードレスハンドセットであり、ここにおいてコードレスハンドセットは、ブラウザアプリケーションを介して前記インターネットデータを提示するものであり、前記第１の通信フォーマットは、コードレス電話通信のために使用される通信フォーマットを備える、請求項２１に記載のシステム。
【請求項２３】
前記第２のデバイスは、ワイヤレスデバイスであり、ここにおいて前記ワイヤレスデバイスは、ブラウザアプリケーションを介して前記インターネットデータを提示するものであり、前記第１の通信フォーマットは、ローカルネットワークを介してワイヤレス通信のために使用される通信フォーマットを備える、請求項２１に記載のシステム。
【請求項２４】
前記第１の通信フォーマットを通じて前記インターネットデータを受信するための追加のモバイルデバイスをさらに備え、
前記基地局は、
前記追加のモバイルデバイスとの第３の通信リンクを確立することと、
前記インターネットデータを求める要求の検出に応答して、前記３の通信リンクを介して、前記第１の通信フォーマットを通じて前記追加のモバイルデバイスから前記インターネットデータを取得することと、
前記モバイルデバイスから前記第２のデバイスに前記インターネットデータを提供することと同時に、前記第２の通信リンクを介して、前記第２の通信フォーマットを使用して、前記追加のモバイルデバイスから前記第２のデバイスに追加のインターネットデータを提供することと、
をさらに行うためのものである、請求項２１に記載のシステム。
【請求項２５】
前記追加のモバイルデバイスは、前記モバイルデバイスによって使用される前記モバイルネットワークとは異なる追加のモバイルネットワークを介して前記インターネットデータにアクセスするものである、請求項２４に記載のシステム。
【請求項２６】
プロセッサと、
命令を記憶するためのメモリと、
を備える装置であって、前記命令は、前記プロセッサによって実行されたときに、前記装置に、
第１の通信リンクを介して基地局とリンクされた第１のモバイルデバイスからの第１のデータにアクセスすることと、
第２の通信リンクを介して前記基地局とリンクされた第２のモバイルデバイスからの第２のデータにアクセスすることと、
第３の通信リンクを介して前記基地局とリンクされた第３のデバイスに、前記第１のデータと第２のデータを同時に提供することと、
を実行させる、装置。
【請求項２７】
前記プロセッサによって実行されたときに、前記命令はさらに、前記装置に、
前記第３のデバイスのアプリケーションを介した提示のために前記第１のデータおよび前記第２のデータをアグリゲートさせる、
請求項２６に記載の装置。
【請求項２８】
前記第１のデータおよび前記第２のデータは、コンタクトデータ、スケジューリングデータ、アプリケーションデータ、電子メールデータ、カレンダデータ、およびインターネットデータからなるグループのうちの少なくとも１つのメンバーを備える、請求項２６に記載の装置。
【手続補正２】
【補正対象書類名】明細書
【補正対象項目名】００８１
【補正方法】変更
【補正の内容】
【００８１】
[0090]単一の例として本明細書で説明されているコンポーネント、動作、および構造に対して複数の事例が提供されうる。最後に、様々なコンポーネント、動作、およびデータ貯蔵場所の間の境界は、幾分曖昧であり、特定の動作が特定の例示的な構成のコンテキストにおいて例示されている。機能の他の割り振りが想定され、本発明の主題の範囲内に入りうる。概して、典型的な構成における別個のコンポーネントとして提示されている構造および機能は、組み合わせられた構造またはコンポーネントとして実装されうる。同様に、単一のコンポーネントとして提示されている構造および機能は、別個のコンポーネントとして実装されうる。これらの、および他のバリエーション、変更、追加、および改善が、本発明の主題の範囲内に入りうる。
以下に、出願当初の特許請求の範囲に記載された発明を付記する。
［Ｃ１］
モバイルデバイスと基地局との間の通信リンクを確立することと、ここにおいて前記通信リンクは、前記モバイルデバイスと前記基地局との間の通信の交換を可能にする、
前記基地局において、前記通信リンクを介して、モバイルネットワークを介して受信された前記モバイルデバイスの電話呼の開始を検出することと、
前記電話呼の開始を検出したことに応答して、前記モバイルデバイスが静止していると決定することと、
前記モバイルデバイスが静止したままである間、前記電話呼の少なくとも一部分にわたって前記モバイルネットワーク内での前記モバイルデバイスの位置追跡を終了させることと、
を備える、方法。
［Ｃ２］
前記電話呼の開始を検出することは、前記基地局において、前記通信リンクを介して、前記モバイルデバイスの前記電話呼に関連付けられた通信信号を受信することを備え、前記方法は、
前記基地局の電話ハンドセットを用いた使用のための通信フォーマットに前記通信信号を変換することと、
前記通信信号を変換した後に前記電話ハンドセットに前記通信信号を送信することと、
をさらに備える、上記Ｃ１に記載の方法。
［Ｃ３］
前記モバイルネットワーク内での前記モバイルデバイスの位置追跡を終了させることは、前記モバイルデバイスが、前記電話呼の前記少なくとも一部分にわたって静止したままになることを示す通信信号を送信することを備える、上記Ｃ１に記載の方法。
［Ｃ４］
前記通信信号を送信することは、前記モバイルデバイスに関連付けられたモバイルネットワークオペレータのために前記モバイルデバイスの位置追跡を実行する電気通信制御システムに関連付けられたアドレスに前記通信信号を送信することを備える、上記Ｃ３に記載の方法。
［Ｃ５］
前記モバイルデバイスが前記電話呼の前記少なくとも一部分にわたって静止したままになると決定することは、前記モバイルデバイスが、前記基地局に対して前記モバイルデバイスを物理的に拘束する物理的ドッキングステーション内に位置していることを検出することと、前記モバイルデバイスが前記基地局に留め付けられていることを検出することとのうちの１つまたは複数を備える、上記Ｃ１に記載の方法。
［Ｃ６］
前記通信リンクを確立することは、前記モバイルデバイスの第１のＳＩＭカードのユニークな識別子を前記基地局の第２のＳＩＭカードに関連付けることを備える、上記Ｃ１に記載の方法。
［Ｃ７］
１つまたは複数のプロセッサによって実行されたときに前記１つまたは複数のプロセッサに動作を行わせる命令を記憶した１つまたは複数の機械可読記憶媒体であって、前記動作は、
モバイルデバイスと基地局との間の通信リンクを確立することと、ここにおいて前記通信リンクは、前記モバイルデバイスと前記基地局との間のデータ通信を可能にする、
モバイルネットワークを介した前記モバイルデバイスによる電話呼の受信を示す、前記モバイルデバイスからの通信信号を検出することと、
前記通信信号を受信したことに応答して、前記モバイルデバイスが前記基地局に物理的に結合されていると決定することと、ここにおいて前記基地局は、前記モバイルデバイスを、前記モバイルデバイスが前記基地局に物理的に結合される間、前記電話呼の少なくとも一部分にわたって静止したままにさせるように構成される、
前記モバイルネットワークを介して、前記モバイルデバイスが前記基地局に物理的に結合されたままである間、前記電話呼の前記少なくとも一部分にわたって位置追跡を終了させるための追加の通信信号を送信することと、
を備える、１つまたは複数の機械可読記憶媒体。
［Ｃ８］
前記追加の通信信号を送信するための動作は、前記モバイルデバイスに関連付けられたモバイルネットワークサービスプロバイダのために前記モバイルデバイスの位置追跡を実行する電気通信制御システムに関連付けられたアドレスに前記追加の通信信号を送信することを備える動作を含む、上記Ｃ７に記載の１つまたは複数の機械可読記憶媒体。
［Ｃ９］
前記基地局は、前記基地局に対して前記モバイルデバイスを物理的に拘束する物理的ドッキングステーション、および前記基地局に前記モバイルデバイスを取り付けるファスナのうちの１つまたは複数を介して、前記基地局に前記モバイルデバイスを物理的に結合する、上記Ｃ７に記載の１つまたは複数の機械可読記憶媒体。
［Ｃ１０］
前記モバイルデバイスと前記基地局との間の前記通信リンクを確立するための前記動作は、前記モバイルデバイスの第１のＳＩＭカードのユニークな識別子を前記基地局の第２のＳＩＭカードに関連付けることを備える動作を含む、上記Ｃ７に記載の１つまたは複数の機械可読記憶媒体。
［Ｃ１１］
１つまたは複数のプロセッサと、
１つまたは複数の命令を記憶するように構成された１つまたは複数のメモリユニットと、
を備えるシステムであって、前記１つまたは複数の命令は、前記１つまたは複数のプロセッサを介して処理されたときに、前記システムに、
モバイルデバイスと基地局との間の通信リンクを確立することと、ここにおいて前記通信リンクは、前記モバイルデバイスと前記基地局との間のデータ通信を可能にする、
前記モバイルデバイスに割り当てられた電話呼を受信することと、ここにおいて前記電話呼は、モバイルネットワークを介して送信される、
前記電話呼の受信に応答して、前記モバイルデバイスが前記基地局に物理的に結合されていると決定することと、ここにおいて前記基地局は、前記モバイルデバイスを、前記モバイルデバイスが前記基地局に物理的に結合されている間、前記電話呼の少なくとも一部分にわたって静止したままにさせるように構成される、
前記モバイルネットワークを介して、前記モバイルデバイスが前記基地局に物理的に結合されたままである間、前記電話呼の前記少なくとも一部分にわたって前記モバイルデバイスの位置追跡を終了させるための通信信号を送信することと、
を実行させる、システム。
［Ｃ１２］
前記システムに前記通信信号を送信させる前記命令は、前記システムに、電気通信制御システムに関連付けられたアドレスに前記通信信号を送信させる命令を備え、ここにおいて前記電気通信制御システムは、前記モバイルデバイスのモバイル電話サービスプロバイダに関連付けられる、上記Ｃ１１に記載のシステム。
［Ｃ１３］
前記基地局は、前記基地局に対して前記モバイルデバイスを物理的に拘束する物理的ドッキングステーション、および前記基地局に前記モバイルデバイスを取り付けるファスナのうちの１つまたは複数を介して、前記基地局に前記モバイルデバイスを物理的に結合する、上記Ｃ１１に記載のシステム。
［Ｃ１４］
前記システムに前記通信リンクを確立させる前記命令は、前記システムに、前記モバイルデバイスの第１のＳＩＭカードのユニークな識別子を前記基地局の第２のＳＩＭカードに関連付けさせる命令を備える、上記Ｃ１１に記載のシステム。
［Ｃ１５］
基地局にリンクされたデバイスから第１の信号を検出することと、ここにおいて前記第１の信号は、インターネットデータを求める要求を含み、前記インターネットデータは第１のフォーマットで前記第１の信号を介して通信される、
前記基地局にリンクされたモバイルデバイスに、前記インターネットデータを求める要求を備えた第２の信号を通信させることと、ここにおいて前記第２の信号は、前記第１のフォーマットとは異なる第２のフォーマットを通じて通信され、前記第２のフォーマットは、モバイルネットワーク通信のためのものである、
前記基地局にリンクされた前記モバイルデバイスを介して、前記インターネットデータを求める要求に対する応答を備えた第３の信号を受信することと、前記第３の信号は、前記インターネットデータを含み、前記第３の信号は前記第２のフォーマットを介して通信される、
前記基地局から前記モバイルデバイスに、前記インターネットデータを含む第４の信号を送信することと、ここにおい前記第４の信号は、前記第１のフォーマットを使用して通信される、
を備える、方法。
［Ｃ１６］
前記第１の信号を検出したことに応答して、前記第１の信号を前記第１のフォーマットから前記第２のフォーマットの前記第２の信号に変換することと、
前記第３の信号を受信したことに応答して、前記第３の信号を前記第２のフォーマットから前記第１のフォーマットの前記第４の信号に変換することと、
をさらに備える、上記Ｃ１５に記載の方法。
［Ｃ１７］
前記要求は、前記基地局のコードレスハンドセットから生じ、ここにおいてコードレスハンドセットは、ブラウザアプリケーションを介して前記インターネットデータを提示するように構成され、前記第１のフォーマットは、コードレス電話通信のために使用される通信フォーマットを備える、上記Ｃ１５に記載の方法。
［Ｃ１８］
前記要求は、ワイヤレスデバイスから生じ、ここにおいてワイヤレスデバイスは、ブラウザアプリケーションを介して前記インターネットデータを提示するように構成され、前記第１のフォーマットは、ワイヤレスローカルエリアネットワーク通信のために使用される通信フォーマットを備える、上記Ｃ１５に記載の方法。
［Ｃ１９］
前記モバイルデバイスは、前記第２のフォーマットを使用してモバイルネットワークを介してインターネットにアクセスすることを認可される、上記Ｃ１５に記載の方法。
［Ｃ２０］
前記第２のフォーマットは、パーソナルアクセスシステム（ＰＡＳ）フォーマット、デジタルエンハンスドコードレステレコミュニケーション（ＤＥＣＴ）フォーマット、およびコードレス電話ジェネレーションフォーマットのうちの１つまたは複数を備える、上記Ｃ１５に記載の方法。
［Ｃ２１］
システムであって、
モバイルネットワークを介して、モバイルネットワーク通信のための第１の通信フォーマットを通じてインターネットデータを受信することを行うように構成されたモバイルデバイスと、
前記モバイルデバイスとの第１の通信リンクを確立することと、
追加のデバイスとの第２の通信リンクを確立することと、
前記追加のデバイスから前記第２の通信リンクを介して、前記インターネットデータを求める要求を検出することと、ここにおいて前記インターネットデータを求める要求は、前記第１の通信フォーマットとは異なる第２の通信フォーマットを通じて通信される、
前記インターネットデータを求める要求の検出に応答して、前記第１の通信リンクを介して、前記第１の通信フォーマットを通じて前記モバイルデバイスからの前記インターネットデータを取得することと、
前記第２の通信リンクを介して、前記第２の通信フォーマットを使用して前記追加のデバイスに前記インターネットデータを提供することと、
を行うように構成された基地局と、
を備えるシステム。
［Ｃ２２］
前記追加のデバイスは、前記基地局のコードレスハンドセットであり、ここにおいてコードレスハンドセットは、ブラウザアプリケーションを介して前記インターネットデータを提示するように構成され、前記第１の通信フォーマットは、コードレス電話通信のために使用される通信フォーマットを備える、上記Ｃ２１に記載のシステム。
［Ｃ２３］
前記追加のデバイスは、ワイヤレスデバイスであり、ここにおいてワイヤレスデバイスは、ブラウザアプリケーションを介して前記インターネットデータを提示するように構成され、前記第１の通信フォーマットは、ワイヤレスローカルエリアネットワーク通信のために使用される通信フォーマットを備える、上記Ｃ２１に記載のシステム。
［Ｃ２４］
前記第１の通信フォーマットを通じて前記インターネットデータを受信するように構成された追加のモバイルデバイスをさらに備え、
前記基地局は、
前記追加のモバイルデバイスとの第３の通信リンクを確立することと、
前記インターネットデータを求める要求の検出に応答して、前記３の通信リンクを介して、前記第１の通信フォーマットを通じて前記追加のモバイルデバイスから前記インターネットデータを取得することと、
前記モバイルデバイスから前記追加のデバイスに前記インターネットデータを提供することと同時に、前記第２の通信リンクを介して、前記第２の通信フォーマットを使用して、前記追加のモバイルデバイスから前記追加のデバイスに追加のインターネットデータを提供することと、
を行うようにさらに構成される、上記Ｃ２１に記載のシステム。
［Ｃ２５］
前記追加のモバイルデバイスは、前記モバイルデバイスによって使用される前記モバイルネットワークとは異なる追加のモバイルネットワークを介して前記インターネットデータにアクセスするように構成される、上記Ｃ２４に記載のシステム。
［Ｃ２６］
１つまたは複数のプロセッサと、
１つまたは複数の命令を記憶するように構成された１つまたは複数のメモリユニットと、
を備える装置であって、前記１つまたは複数の命令は、前記１つまたは複数のプロセッサを介して処理されたときに、前記装置に、
第１の通信リンクを介して基地局とリンクされた第１のモバイルデバイスからの第１のデータにアクセスすることと、
第２の通信リンクを介して前記基地局とリンクされた第２のモバイルデバイスからの第２のデータにアクセスすることと、
第３の通信リンクを介して前記基地局とリンクされた追加のデバイスに、前記第１のデータと第２のデータを同時に提供することと、
を実行させる、装置。
［Ｃ２７］
前記１つまたは複数のプロセッサを介して処理されたときに、前記命令はさらに、前記装置に、
追加のデバイスのアプリケーションを介した提示のために前記第１のデータおよび第２のデータをアグリゲートさせる、
上記Ｃ２６に記載の装置。
［Ｃ２８］
前記第１のデータおよび第２のデータは、コンタクトデータ、スケジューリングデータ、アプリケーションデータ、電子メールデータ、カレンダデータ、およびインターネットデータのうちの１つまたは複数を備える、上記Ｃ２６に記載の装置。
【国際調査報告】
2015537435.tif 000013
2015537435.tif 000014